(57)【要約】  使い捨て吸収性物品は、トップシートと、バックシートと、トップシートとバックシートの間に配置された吸収性コアとを含むシャーシと、レッグガスケットシステムと、を含み得る。レッグガスケットシステムは内側カフ及び外側カフを含んでもよく、内側カフは、内側カフの折り畳まれた縁部及び内側カフの材料縁部を含んでもよく、また、外側カフは外側カフの折り畳まれた縁部及び外側カフの材料縁部を含んでもよく、材料のウェブが横方向に内側に折り畳まれて、外側カフの折り畳まれた縁部を形成し、かつ横方向に外側に折り畳まれて、内側カフの折り畳まれた縁部を形成するようになっている。また、使い捨て吸収性物品には、５つの区域が含まれ、第１の区域は、第２の区域及び第３の区域のそれぞれよりも通気性が高く、第１の区域は、第４の区域及び第５の区域のそれぞれよりも通気性が低い。
2018511385.tif 000002
【特許請求の範囲】
【請求項１】
着用者の胴体下部周囲に着用するための使い捨て吸収性物品であって、前記使い捨て吸収性物品が、第１の腰部領域、第２の腰部領域、前記第１の腰部領域と前記第２の腰部領域との間に配置された股領域と、第１の腰縁部及び第２の腰縁部と、第１の長手方向縁部及び第２の長手方向縁部と、を含み、前記使い捨て吸収性物品は、
１．トップシートと、
２．バックシートと、
３．前記トップシートと前記バックシートとの間に配置された吸収性コアと、を含むシャーシを含み、
前記使い捨て吸収性物品は、レッグガスケットシステムを更に含み、
前記レッグガスケットシステムは内側カフ及び外側カフを形成する材料のウェブを含み、
前記内側カフは、内側カフの折り畳まれた縁部及び内側カフの材料縁部を含み、前記外側カフは、外側カフの折り畳まれた縁部及び外側カフの材料縁部を含み、前記材料のウェブが横方向に内側に折り畳まれて、前記外側カフの折り畳まれた縁部を形成し、かつ、横方向に外側に折り畳まれて、前記内側カフの折り畳まれた縁部を形成するようになっており、
前記使い捨て吸収性物品は、前記股領域に位置する第１の区域、前記第２の腰部領域に位置する第２の区域、前記第１の腰部領域に位置する第３の区域、第４の区域、及び第５の区域を含み、前記使い捨て吸収性物品の前記第１の区域は、前記第２の区域及び前記第３の区域のそれぞれよりも通気性が高く、前記使い捨て吸収性物品の前記第１の区域は、前記第４の区域及び前記第５の区域のそれぞれよりも通気性が低い、使い捨て吸収性物品。
【請求項２】
前記第４の区域は前記第２の腰部領域に位置しており、前記第５の区域は前記第１の腰部領域に位置しており、前記第２の区域は、前記第４の区域の横方向に内側であり、前記第３の区域は、前記第５の区域の横方向に内側である、請求項１に記載の使い捨て吸収性物品。
【請求項３】
前記第１の区域は前記外側カフ上に位置しており、横方向中心線上で中心に置かれる、請求項１又は２に記載の使い捨て吸収性物品。
【請求項４】
前記第２の区域及び前記第４の区域の位置は、横方向中心線に平行である前記横方向に延びる第１の線上で中心に置かれ、前記第３の区域及び前記第５の区域の位置は、前記横方向中心線に平行である前記横方向に延びる第２の線上で中心に置かれる、請求項１〜３に記載の使い捨て吸収性物品。
【請求項５】
前記第１の区域、前記第２の区域、及び前記第３の区域の位置は、長手方向中心線に平行である前記長手方向に延びる線上で中心に置かれる、請求項１〜４に記載の使い捨て吸収性物品。
【請求項６】
前記第４の区域及び前記第５の区域の前記位置は、長手方向中心線に平行である前記長手方向に延びる線上で中心に置かれる、請求項１〜５に記載の使い捨て吸収性物品。
【請求項７】
前記第１の区域は、１５〜２５ｍ３／ｍ２／分の空気透過率を有する、請求項１〜６に記載の使い捨て吸収性物品。
【請求項８】
前記第２の区域及び前記第３の区域は、５〜１５ｍ３／ｍ２／分の空気透過率を有する、請求項１〜７に記載の使い捨て吸収性物品。
【請求項９】
前記第４の区域及び前記第５の区域は、２５〜７０ｍ３／ｍ２／分の空気透過率を有する、請求項１〜８に記載の使い捨て吸収性物品。
【請求項１０】
前記第１の区域は、４０００〜６０００ｇ／ｍ２／２４ｈｒのＷＶＴＲ範囲を有し、前記第２の区域及び前記第３の区域は、３８００〜５５００ｇ／ｍ２／２４ｈｒのＷＶＴＲ範囲を有し、前記第４の区域及び前記第５の区域は、４４００〜６０００ｇ／ｍ２／２４ｈｒのＷＶＴＲ範囲を有する、請求項１〜９のいずれか一項に記載の使い捨て吸収性物品。
【請求項１１】
前記第１の区域、前記第２の区域、前記第３の区域、前記第４の区域及び前記第５の区域は、５５〜１００の不透明度範囲を有する、請求項１〜１０に記載の使い捨て吸収性物品。
【請求項１２】
前記第１の区域は６０〜７０の不透明度範囲を有する、請求項１〜１１に記載の使い捨て吸収性物品。
【請求項１３】
前記第２の区域及び前記第３の区域は、７５〜９０の不透明度範囲を有する、請求項１〜１２に記載の使い捨て吸収性物品。
【請求項１４】
前記第４の区域及び前記第５の区域は、５５〜７０の不透明度範囲を有する、請求項１〜１３に記載の使い捨て吸収性物品。
【請求項１５】
前記第１の区域は、前記第４の区域又は前記第５の区域よりも高い不透明度を有し、前記第１の区域は前記第２の区域又は前記第３の区域よりも低い不透明度を有する、請求項１〜１４に記載の使い捨て吸収性物品。
【発明の詳細な説明】
【技術分野】
【０００１】
本発明は、更に衣類様物品となり、並びに機能的特性が改良されている（例えば、漏れ、便などの物質による汚染の減少）レッグカフを有する吸収性物品（例えば、おむつ、成人用失禁物品、女性用衛生製品パッド）に関する。
【背景技術】
【０００２】
従来の吸収性物品（例えば、おむつ、成人失禁用物品、女性用衛生製品パッドなど）により、尿及び／又は他の身体排出物（例えば、便、月経、便と尿との混合物、月経と尿との混合物など）を受け入れ、かつ収容するにあたって利点がもたらされることは長きにわたり公知である。身体排出物を有効に収容するためには、物品が着用者の腰部及び脚部の周りにぴったりとフィットする必要がある。
【０００３】
現在のおむつの設計は、身体排出物の漏れを防ぐためのバリアレッグカフと、バリアカフを通じて排出物が見えるのを最小限にするために、バリアレッグカフ上に覆いを提供し、かつバリアレッグカフを滲み出る身体排出物を捕えるための第２の手段を提供する外側カフとの使用を伴うことが多い。バリアレッグカフは、疎水性不織布を使用して作製される場合があり、吸収性物品の身体に面する表面上に配置されたり、又はフィルムバックシート層の身体に面する表面に接続される場合がある。バリアレッグカフは、身体排出物が、物品の側部から外に出るのを防止する実質的に液体不透過性の層であってよく、かつ、外部の空気が皮膚に到達して、皮膚水分量を健常な水準に保つのを助けるように高い通気性を有していてよい。多くの現在のおむつでは、外側カフは、バリアレッグカフを被覆するために、並びに、製造中に溶融した接着剤がカフを通じて、物品の衣類に面する表面まで通通するのを防ぐために必要とされる、高度な不透明度を提供するバックシートの高分子フィルム層を含む。外側カフは外側レッグ伸縮性ストランドを含み、これは収縮力及びギャザーを形成し、カフ材料とバックシート材料の間に挟まれ得る。レッグカフにおける伸縮性ストランドは、製造中に典型的に、溶融した接着剤を用いて接合され、熱い接着剤は一般的に、製造中に不織布材料を通過する可能性があり、製造ラインの汚染を生じさせ、並びに物品の外側表面上への粘性の可能性を有する。高分子フィルムは一般的に、これらの問題を防止するために使用されるが、プラスチック様の外観、並びに適用プロセス時の騒音となり、また、通気性を妨げる可能性があることから、おむつかぶれ及び／又は無汗症となる。
【０００４】
材料を切断、追跡し、組み合わせる際の製造上の公差により、外側レッグ伸縮性ストランドは一般的に、股領域において、物品の長手方向縁部から内側に離間されている。これは、製造プロセス中に外側レッグ伸縮性ストランドを不注意により切断又は露出させるのを防ぐ。この設計では、製品の長手方向縁部の最も外側の部分が、着用時に、ユーザーの皮膚に絶えず密接して接触していることにはならない。したがって、伸縮性ストランドが、物品の縁部を制御する能力は、最も外側の伸縮部と縁部の間の距離が増加するにつれて減少し、これは、より大きなギャザーをより乱雑に配置することになり、皮膚により大きな間隔で接触する、あるいは何も皮膚に接触していないことにつながる。この影響は、長手方向縁部がユーザーの皮膚に接触していない箇所でおむつが漏れる可能性があるという感覚を、ユーザーにもたらす可能性がある。更に、現在入手可能な多くの物品は、１つの側当たり２〜３の外側レッグ伸縮部のみを収容してギャザーを作り、広く仕上げられたレッグカフ、又は、セーターのアームのカフの伸縮性で縁取られた縁部のような、より衣類のようなカフの望ましい外観を達成するのが難しくなっている。伸縮部がより密接して離間されている場合、狭い区分の伸縮性ゾーンとなり、結果として、仕上げ加工の足りない、快適性の少ない、かつ、より衣類のような外観ではないものとなる。伸縮部が更に離間されると、ギャザーはユーザーの皮膚から更に分離されているように見え、これは潜在的な漏れのリスクの認知につながる。上述のように、これは、分離が大きくなっているストランド間のギャザーの制御性が低いことにより生じている。
【０００５】
したがって、縁部に近接した伸縮部を用いて仕上げられた縁部を有する、吸収性物品に折り畳まれた外側カフ設計を提供し、皮膚との近接性を維持し、改善されたフィットと、美的外観と、衣類のような設計と、改善された漏れの保護とを生じさせることが望ましい。
【０００６】
しかし、本明細書に詳述したカフ設計によって漏れの保護を改善しても、身体排出物が物品と着用者の脚及び／又は腰部との間の間隙から漏れる場合、吸収性物品の最も一般的な不具合モードが依然として発生する。便物質（例えば、液状の排便、排便及び尿との混合物など）は、吸収性物品のトップシート及びコアには吸収されず、便物質は、物品と着用者の脚又は腰部との間の間隙から漏れることがある。着用者がより多い量の便物質を排出した場合には、吸収性コアによって尿よりもゆっくり吸収され、便物質は吸収性物品の体表面に沿って横方向に移動し、バリアレッグカフに到達する可能性がある。便物質は、バリアレッグカフに到達後、バリアレッグカフに沿って長手方向に移動し得る。着用者の動き及び／又はバリアカフ下かつ／若しくは吸収性物品内の利用可能空間の不足が原因で、便物質が物品と着用者の脚及び／又は腰部との間の間隙から漏れる可能性がある。その結果、着用者の衣類又は着用者の漏れやすい吸収性物品と接触する他の物品（例えば、寝具、家具、介護者の衣類など）の汚れ、濡れ、又は他の汚染となる。
【発明の概要】
【発明が解決しようとする課題】
【０００７】
したがって、経済的に実施可能であり、身体排出物の漏れによる悪影響を最小限に抑えることができ、かつ、汚れた使い捨て吸収性物品を取り除くときに、着用者をきれいにすることが容易な使い捨て吸収性物品を提供することに引き続き関心がある。そのために、物品の予測使用時間にわたって安全にかつ清潔に身体排出物を着用者の衣類及び／又は皮膚から離すのに十分な保持力を有する使い捨て吸収性物品を提供することに引き続き関心がある。更に、前述の特徴を有する経済的に実施可能な使い捨て吸収性物品を提供し、着用者のおむつかぶれ及び／又は無汗といった症例を減らすために、吸収性物品の適切な領域においてより通気性を高くすると共に、通気性を高くすることによって、吸収性物品に覆われている区域の皮膚の状態をより健全とすることにも引き続き関心がある。
【課題を解決するための手段】
【０００８】
一態様では、着用者の胴体下部周囲に着用するための使い捨て吸収性物品は、第１の腰部領域と、第２の腰部領域と、第１の腰部領域と第２の腰部領域との間に配置された股領域と、第１の腰縁部及び第２の腰縁部と、第１の長手方向縁部及び第２の長手方向縁部と、を含み、使い捨て吸収性物品は、トップシートと、バックシートと、トップシートとバックシートとの間に配置された吸収性コアとを含むシャーシを含み、使い捨て吸収性物品は、レッグガスケットシステムを更に含み、レッグガスケットシステムは、内側カフ及び外側カフを形成する材料のウェブを含み、内側カフは、内側カフの折り畳まれた縁部及び内側カフの材料縁部を含み、外側カフは、外側カフの折り畳まれた縁部及び外側カフの材料縁部を含み、材料のウェブが横方向に内側に折り畳まれて、外側カフの折り畳まれた縁部を形成し、かつ、横方向に外側に折り畳まれて、内側カフの折り畳まれた縁部を形成するようになっており、使い捨て吸収性物品は、股領域に位置する第１の区域、第２の腰部領域に位置する第２の区域、第１の腰部領域に位置する第３の区域、第４の区域、及び第５の区域を含み、使い捨て吸収性物品の第１の区域は、第２の区域及び第３の区域の両方よりも通気性が高く、使い捨て吸収性物品の第１の区域は、第４の区域及び第５の区域の両方よりも通気性が低い。
【０００９】
別の態様では、着用者の胴体下部周囲に着用するための使い捨て吸収性物品は、第１の腰部領域と、第２の腰部領域と、第１の腰部領域と第２の腰部領域との間に配置された股領域と、第１の腰縁部及び第２の腰縁部と、第１の長手方向縁部及び第２の長手方向縁部と、を含み、使い捨て吸収性物品は、トップシートと、バックシートと、トップシートとバックシートとの間に配置された吸収性コアとを含むシャーシを含み、使い捨て吸収性物品は、レッグガスケットシステムを更に含み、レッグガスケットシステムは、内側カフ及び外側カフを形成する材料のウェブを含み、内側カフは、内側カフの折り畳まれた縁部及び内側カフの材料縁部を含み、外側カフは、外側カフの折り畳まれた縁部及び外側カフの材料縁部を含み、材料のウェブが横方向に内側に折り畳まれて、外側カフの折り畳まれた縁部を形成し、かつ、横方向に外側に折り畳まれて、内側カフの折り畳まれた縁部を形成するようになっており、使い捨て吸収性物品は、股領域に位置する第１の区域、第２の腰部領域に位置する第２の区域、第１の腰部領域に位置する第３の区域、第４の区域、及び第５の区域を含み、使い捨て吸収性物品の第１の区域は、約１５〜約２５ｍ３／ｍ２／分の空気透過率を有し、使い捨て吸収性物品の第２及び第３の区域は約７〜約１５ｍ３／ｍ２／分の空気透過率を有し、使い捨て吸収性物品の第４及び第５の区域は、約２５〜約７０ｍ３／ｍ２／分の空気透過率を有する。
【００１０】
別の態様では、パッケージは、着用者の胴体下部周囲に着用するための少なくとも１０の使い捨て吸収性物品を含み、使い捨て吸収性物品は、第１の腰部領域と、第２の腰部領域と、第１の腰部領域と第２の腰部領域との間に配置された股領域と、第１の腰縁部及び第２の腰縁部と、第１の長手方向縁部及び第２の長手方向縁部とを含み、使い捨て吸収性物品は、トップシート、バックシート及びトップシートとバックシートとの間に配置される吸収性コアを含むシャーシを更に含み、使い捨て吸収性物品は、レッグガスケットシステムを更に含み、レッグガスケットシステムは、内側カフ及び外側カフを形成する材料のウェブを含み、内側カフは、内側カフの折り畳まれた縁部及び内側カフの材料縁部を含み、外側カフは、外側カフの折り畳まれた縁部及び外側カフの材料縁部を含み、材料のウェブが横方向に内側に折り畳まれて、外側カフの折り畳まれた縁部を形成し、かつ、横方向に外側に折り畳まれて、内側カフの折り畳まれた縁部を形成するようになっており、使い捨て吸収性物品は、股領域に位置する第１の区域、第２の腰部領域に位置する第２の区域、第１の腰部領域に位置する第３の区域、第４の区域、及び第５の区域を含み、使い捨て吸収性物品の第１の区域の断面は、使い捨て吸収性物品の第２の区域の断面及び使い捨て吸収性物品の第３の区域の断面の両方よりも少ない材料層を含む。
【００１１】
本明細書に記載の使い捨て吸収性物品は、材料の１つのウェブ又は材料の複数のウェブを含み得るレッグガスケットシステムを含む。本明細書の説明及び請求項では、「材料のウェブ」から形成されるレッグガスケットシステムの実施形態を示す場合もある。「材料のウェブ」の説明には、材料の１つの連続ウェブ、合わさって１つの材料のウェブとなる材料の複数のウェブ、又は使い捨て吸収性物品シャーシから分離され、レッグガスケットシステムの一部を形成する異なる複数の材料のウェブを含む。本明細書に記載のレッグガスケットシステムは、Ｎ繊維材料又は他の不織布材料を含んでもよい。
【図面の簡単な説明】
【００１２】
【図１】本明細書に詳細に記載するような吸収性物品の概略平面図である。
【図２】横方向中心線に沿って切り取った図１のレッグガスケットシステムの概略断面図である。レッグガスケットシステムは、平坦であり、非収縮状態で示される。
【図３】図１のレッグガスケットシステム及びシャーシの概略断面図であり、横方向中心線に沿って切り取った断面図である。レッグガスケットシステムは、平坦であり、非収縮状態で示される。
【図３Ａ】図１の吸収性物品の概略断面図であり、線Ｄ−Ｄに沿って切り取った断面である。
【図３Ｂ】図１の吸収性物品の概略断面図であり、線Ｅ−Ｅに沿って切り取った断面である。
【図４】図１の吸収性物品の概略断面図であり、線Ａ−Ａに沿って切り取った断面である。
【図５】図１の吸収性物品の概略断面図であり、線Ｂ−Ｂに沿って切り取った断面である。
【図６】図１の吸収性物品の概略断面図であり、線Ｃ−Ｃに沿って切り取った断面である。
【図７】不透明度強化パッチを有する図１の吸収性物品の概略断面図であり、線Ａ−Ａに沿って切り取った断面図である。
【図８】不透明度強化パッチを有する図１の吸収性物品の概略断面図であり、線Ｂ−Ｂに沿って切り取った断面図である。
【図９】不透明度強化パッチを有する図１の吸収性物品の概略断面図であり、線Ｃ−Ｃに沿って切り取った断面図である。
【図１０】本明細書に記載されるような、例示的吸収性物品の概略断面図である。
【図１１Ａ】本明細書に詳述した吸収性物品の使用に好適な追加の例示的レッグガスケットシステムの概略断面図である。
【図１１Ｂ】本明細書に詳述した吸収性物品の使用に好適な追加の例示的レッグガスケットシステムの概略断面図である。
【図１１Ｃ】本明細書に詳述した吸収性物品の使用に好適な追加の例示的レッグガスケットシステムの概略断面図である。
【図１１Ｄ】本明細書に詳述した吸収性物品の使用に好適な追加の例示的レッグガスケットシステムの概略断面図である。
【図１１Ｅ】本明細書に詳述した吸収性物品の使用に好適な追加の例示的レッグガスケットシステムの概略断面図である。
【図１１Ｆ】本明細書に詳述した吸収性物品の使用に好適な追加の例示的レッグガスケットシステムの概略断面図である。
【図１１Ｇ】本明細書に詳述した吸収性物品の使用に好適な追加の例示的レッグガスケットシステムの概略断面図である。
【図１１Ｈ】本明細書に詳述した吸収性物品の使用に好適な追加の例示的レッグガスケットシステムの概略断面図である。
【図１１Ｉ】本明細書に詳述した吸収性物品の使用に好適な追加の例示的レッグガスケットシステムの概略断面図である。
【図１１Ｊ】本明細書に詳述した吸収性物品の使用に好適な追加の例示的レッグガスケットシステムの概略断面図である。
【図１１Ｋ】本明細書に詳述した吸収性物品の使用に好適な追加の例示的レッグガスケットシステムの概略断面図である。
【図１１Ｌ】本明細書に詳述した吸収性物品の使用に好適な追加の例示的レッグガスケットシステムの概略断面図である。
【図１１Ｍ】本明細書に詳述した吸収性物品の使用に好適な追加の例示的レッグガスケットシステムの概略断面図である。
【図１１Ｎ】本明細書に詳述した吸収性物品の使用に好適な追加の例示的レッグガスケットシステムの概略断面図である。
【図１１Ｏ】本明細書に詳述した吸収性物品の使用に好適な追加の例示的レッグガスケットシステムの概略断面図である。
【図１１Ｐ】本明細書に詳述した吸収性物品の使用に好適な追加の例示的レッグガスケットシステムの概略断面図である。
【図１１Ｑ】本明細書に詳述した吸収性物品の使用に好適な追加の例示的レッグガスケットシステムの概略断面図である。
【図１１Ｒ】本明細書に詳述した吸収性物品の使用に好適な追加の例示的レッグガスケットシステムの概略断面図である。
【図１１Ｓ】本明細書に詳述した吸収性物品の使用に好適な追加の例示的レッグガスケットシステムの概略断面図である。
【図１１Ｔ】本明細書に詳述した吸収性物品の使用に好適な追加の例示的レッグガスケットシステムの概略断面図である。
【図１２】本明細書に詳述した吸収性物品のパッケージの概略断面図である。
【発明を実施するための形態】
【００１３】
用語の定義：
本明細書で使用するとき、以下の用語は後に指定される意味を有するものとする。
【００１４】
吸収性物品に関連しての「使い捨て」は、吸収性物品が、洗濯するか、又は別の方法で吸収性物品として復元若しくは再利用することが一般的に意図されない（即ち、単回の使用の後で廃棄する、好ましくはリサイクル、堆肥化、あるいは環境に適合する様態で廃棄することが意図される）ことを意味する。
【００１５】
「吸収性物品」とは、身体排出物を吸収及び収容するデバイスを指し、より詳細には、着用者の身体に接して、又は近接して置かれて、身体から排出される様々な排出物を吸収し、収容するデバイスを指す。吸収性物品の例としては、おむつ、トレーニングパンツ、プルオンパンツ式おむつ（即ち、米国特許第６，１２０，４８７号に示されているような予め形成されたウエスト開口部及び脚部開口部を有するおむつ）、再締結可能なおむつ若しくはパンツ型おむつ、失禁用ブリーフ及び下着、おむつホルダ及びライナー、パンティライナーなどの女性用衛生衣類、吸収性挿入物などが挙げられる。
【００１６】
「近位」及び「遠位」は、それぞれ、構造体の長手方向又は横方向の中心線に比較的近い又は遠い要素の位置を指す（例えば、長手方向に延びる要素の近位縁が、同じ要素の遠位縁が同じ長手方向中心線に対して位置するよりも、長手方向中心線により近く位置している）。
【００１７】
「身体に面する」及び「衣類に面する」とは、それぞれ、要素、又は要素の面、又は要素の群の相対位置を指す。「身体に面する」とは、要素又は面が、他の要素又は面よりも、着用時に着用者により近いことを意味する。「衣類に面する」とは、要素又は面が他の要素又は面より、着用時に着用者からより遠くに離れていることを意味する（即ち、要素又は面が、使い捨て吸収性物品の上に着用され得る着用者の衣類に近接する）。
【００１８】
「長手方向の」とは、物品の腰縁部から対向する腰縁部まで実質的に垂直に、及び物品の最大直線寸法にほぼ平行に延びる方向を指す。長手方向の４５度以内の方向は「長手方向」であると見なされる。
【００１９】
「横方向の」とは、物品の１つの長手方向縁部から対向する長手方向縁部に及び、長手方向にほぼ直角に延びる方向を指す。横方向に４５度以内の方向は、「横方向」であると見なされる。
【００２０】
「配置される」とは、要素が、ある特定の場所又は位置に位置されていることを指す。
【００２１】
「接合された」とは、要素を他の要素に直接固着することによって、その要素が別の要素に直接固定されている形態、及び要素を１つ以上の中間部材に固着し、その中間部材が次に他の要素に固着されることによって、その要素が別の要素に間接的に固定されている形態を指す。
【００２２】
「フィルム」とは、材料の長さ及び幅が材料の厚さを大きく上回るシート状材料を指す。典型的には、フィルムは約０．５ｍｍ以下の厚さを有する。
【００２３】
「透水性」及び「不透水性」は、使い捨て吸収性物品の意図された使用に関連する材料の浸透性を指す。具体的には、用語「透水性」は、液体の水、尿又は合成尿が押し付け圧力がない状態で、その厚さを通過できる孔、開口部及び／又は相互に接続された空隙を有する層又は層構造体を指す。逆に、用語「不透水性」は、液体の水、尿又は合成尿が（重力などの自然の力とは別の）押し付け圧力がない状態では、その厚さを通過できない層又は層構造体を指す。この定義により不透水性の層又は層状構造体は、水蒸気に対して透過性（即ち、「蒸気透過性」）であってもよい。
【００２４】
「延伸性」及び「延伸可能な」とは、弛緩状態における構成要素の幅又は長さを延伸又は増大させることができることを意味する。
【００２５】
「伸縮性がある」又は「伸縮性を持たせた」とは、構成要素が伸縮材から作製された少なくとも一部分を含むことを意味する。
【００２６】
「延長可能な材料」、「延伸可能な材料」、又は「伸張可能な材料」は互換的に使用され、付勢力を加えると、ＥＤＡＮＡ法２０．２−８９で測定して、破裂又は破断することなく、弛緩した元の長さの少なくとも約１１０％の延長された長さまで伸張することができ（即ち、元の長さよりも１０％長く伸張することができ）、加えられた力を解放した際に、完全に破裂又は破断することなく、その伸び率の約２０％未満というわずかな回復を示す材料を指す。かかる延長可能材料が、加えられた力を解放した際に、その伸び率の少なくとも４０％を回復する場合、その延長可能材料は、「伸縮性」又は「エラストマー性」であると見なされる。例えば、１００ｍｍの初期長さを有する伸縮材料は、少なくとも１５０ｍｍまで延伸することができ、力を取り除くと少なくとも１３０ｍｍの長さまで収縮する（即ち、４０％の回復を示す）。加えた力を解放した際に、材料がその伸び率の４０％未満を回復する場合、その延長可能材料は、「実質的に非伸縮」又は「実質的に非エラストマー性」であると見なされる。例えば、１００ｍｍの初期長さを有する延長可能材料は、少なくとも１５０ｍｍまで延伸することができ、力を取り除くと少なくとも１４５ｍｍの長さまで収縮する（即ち、１０％の回復を示す）。
【００２７】
「エラストマー材料」は、伸縮的性質を示す材料である。エラストマー材料としては、エラストマーフィルム、スクリム、不織布及び他のシート状構造体を挙げることができる。
【００２８】
「パンツ」とは、予め形成された腰部及び脚部開口部を有する使い捨て吸収性物品を指す。パンツは、着用者の両脚を脚部開口部に挿入し、パンツを滑らせて着用者の下部胴体周囲の位置に至らせることによって着用され得る。パンツは、通常、「閉じられたおむつ」、「予め締結されたおむつ」、「プルオンおむつ」、「トレーニングパンツ」、及び「おむつパンツ」とも呼ばれる。
【００２９】
吸収性物品：
本発明は、衣類のような見た目が美しい設計を作り出すきちんと仕上げられた外側カフの折り畳まれた縁部を有する折り畳まれた外側カフを含むレッグガスケットシステムを有する使い捨て吸収性物品に関し、また、吸収性物品は、物品の内側に向かって開口部を有するレッグガスケットシステムポケットを含み、ポケットにより液状の排便の漏れを減らす。折り畳まれた外側カフの設計は、伸縮性領域において高分子フィルム層を使わずに浸透及び接着剤の裏抜けを防ぐのに有利であり得る。吸収性物品は不透明度強化パッチを含み、適用時及び着用時に、物品が過剰に延伸するのを防ぐのに必要とされる強度をもたらし、並びに、ユーザーの皮膚が、物品を通して見えるのを防ぐために不透明度を側面及び腰部に提供することができる。
【００３０】
図１は、平坦であり、非収縮状態の、本開示による吸収性物品２０の平面図である。吸収性物品２０の衣類に面する表面１２０が、図を見る人に面している。吸収性物品２０は、長手方向中心線１００及び横方向中心線１１０を含む。吸収性物品２０はシャーシ２２を備えてもよい。吸収性物品２０及びシャーシ２２が、第１の腰部領域３６、第１の腰部領域３６に対向する第２の腰部領域３８、及び第１の腰部領域３６と第２の腰部領域３８との間に位置する股領域３７を有するものとして示されている。腰部領域３６及び３８は一般に、着用時に着用者の腰部を取り囲む吸収性物品２０の部位を含む。腰部領域３６及び３８は、フィット性及び封入性を改善するように、着用者の腰部周りでギャザーをなすような伸縮性要素を含み得る。股領域３７は、使い捨て吸収性物品２０を着用したときに着用者の両脚の間に概ね位置決めされる、使い捨て吸収性物品２０の部分である。
【００３１】
シャーシ２２の外周は、長手方向縁部１２及び腰縁部（第１の腰部領域３６の第１の腰縁部１３及び第２の腰部領域３８の第２の腰縁部１４）によって画定される。長手方向縁部１２は、第１の腰部領域３６内の長手方向縁部１２の部分である前側長手方向縁部１２ａと、後側腰部領域３８内の長手方向縁部１２の部分である後側長手方向縁部１２ｂとに、更に分割されていてよい。シャーシ２２は、長手方向中心線１００と概ね平行に配向され、互いに対向する長手方向縁部１２を有し得る。しかしながら、より良いフィットのためには、長手方向縁部１２は、例えば平面図で見たときに、「砂時計」型のおむつを製造するように、湾曲される、又は角度がつけられている場合がある。シャーシ２２は、横方向中心線１１０に対して概ね平行に配向され、互いに対向する横方向縁部１４を有し得る。
【００３２】
シャーシ２２は、液体透過性トップシート２４、バックシート２６、トップシート２４とバックシート２６との間の吸収性コア２８とを含み得る。１つ以上の不透明度強化パッチ８０を含む物品でも、シャーシ２２は不透明度強化パッチ（複数可）を有する。吸収性コア２８は、身体に面する表面と衣類に面する表面とを有し得る。トップシート２４は、コア２８及び／又はバックシート２６に接合されてもよい。バックシート２６は、コア２８及び／又はトップシート２４に接合されてもよい。他の構造体、要素、又は基材がコア２８とトップシート２４及び／又はバックシート２６との間に位置付けられてもよいことが理解されよう。シャーシ２２は、複合吸収性物品構造を形成するために付加されてもよい他の機構と共に吸収性物品２０の主要構造を含んでもよい。トップシート２４、バックシート２６、及び吸収性コア２８は様々な周知の構造で組み立てられることができ、好ましい吸収性物品構造は、米国特許第３，８６０，００３号、同第５，１５１，０９２号、同第５，２２１，２７４号、同第５，５５４，１４５号、同第５，５６９，２３４号、同第５，５８０，４１１号及び同第６，００４，３０６号に一般に記載される。
【００３３】
トップシート：
トップシート２４は一般的に、着用者に少なくとも部分的に接触して又は近接して位置し得る、吸収性物品２０の一部分である。適切なトップシート２４は、多孔質発泡体、網状発泡体、有孔プラスチックフィルム、又は天然繊維（例えば、木材繊維若しくは綿繊維）、合成繊維（例えば、ポリエステル繊維若しくはポリプロピレン繊維）、又は天然繊維と合成繊維との組み合わせによる織布ウェブ又は不織布ウェブなど、幅広い範囲の材料から製造され得る。トップシート２４は、一般に、着用者の皮膚に対してしなやかで柔らかい感触であり、無刺激性である。一般に、トップシート２４の少なくとも一部分は液体透過性であり、トップシート２４の厚さ方向に容易に液体を浸透させることができる。本明細書で有用なトップシート２４の１つは、ＢＢＡ  Ｆｉｂｅｒｗｅｂ社（テネシー州、Ｂｒｅｎｔｗｏｏｄ）から供給元コード０５５ＳＬＰＶ０９Ｕとして入手可能である。トップシート２４は有孔であってもよい。
【００３４】
トップシート２４の任意の部分は、当該技術分野において既知のローション又はスキンケア組成物でコーティングされ得る。好適なローションの非限定例としては、米国特許第５，６０７，７６０号、同第５，６０９，５８７号、同第５，６３５，１９１号及び同５，６４３，５８８号に記載のものが挙げられる。当業者において既知のあらゆるローション又はスキンケア組成物を使用してもよい場合、具体例は制限されない。トップシート２４は、全体的に又は部分的に伸縮性を持たせてもよく、又はトップシート２４とコア２８との間に空隙空間を形成するよう短縮されてもよい。伸縮性を持たせた又は短縮されたトップシートを含む代表的な構造体が、米国特許第４，８９２，５３６号、同第４，９９０，１４７号、同第５，０３７，４１６号、及び同第５，２６９，７７５号により詳細に記載されている。
【００３５】
吸収性コア：
吸収性コア２８は、使い捨ておむつ及び他の吸収性物品に一般に使用される多種多様の液体吸収性材料を含み得る。適切な吸収性材料の例として、通常エアフェルトクレープ紙綿と呼ばれる粉砕された木材パルプ、コフォームを含むメルトブローンポリマー、化学的に強化、改質、又は架橋されたセルロース繊維、薄紙の包装紙及び薄片を含む薄紙、吸収性発泡体、吸収性スポンジ、超吸収性ポリマー、吸収性ゲル化材料、又は任意のその他吸収性材料又は材料の組み合わせが挙げられる。吸収性コアの少なくとも一部分は、実質的にセルロースを含まず、１０重量％未満のセルロース繊維、５重量％未満のセルロース繊維、１重量％未満のセルロース繊維、微量のセルロース繊維を含有してもよいか、又はセルロース繊維を含有しなくてもよい。微量のセルロース材料が、実質的にセルロースを含まない吸収性コアの一部分の薄さ、可撓性、及び吸収性のうちの少なくとも１つに実質的に影響を与えないということは理解されるべきである。他の利点の中でも、吸収性コアの少なくとも一部分が実質的にセルロースを含まないとき、吸収性コアのこの部分は、１０重量％超のセルロース繊維を含む、同様の吸収性コアよりも著しく薄く、より高い可撓性を有すると考えられる。吸収性コア中に存在する吸収性材料、例えば吸収性粒子状ポリマー材料の量は、様々であってよいが、吸収性コアの約８０重量％超、又は吸収性コアの約８５重量％超、又は吸収性コアの約９０重量％超、又はコアの約９５重量％超の量で吸収性コア中に存在してもよい。
【００３６】
吸収性コア２８として使用するための例示的な吸収性構造は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号に記載されている。
【００３７】
バックシート：
バックシート２６は、一般的に、吸収性物品２０の衣類に面する表面１２０の少なくとも一部分であり得るように位置する。バックシート２６は、吸収性物品２０によって吸収され、吸収性物品２０内に収容された排出物が、ベッドシーツ及び下着など、吸収性物品２０と接触し得る物品を汚すのを防ぐように設計することができる。バックシート２６は、実質的に不透水性であってもよい。好適なバックシート２６材料としては、Ｔｒｅｄｅｇａｒ  Ｉｎｄｕｓｔｒｉｅｓ社（インディアナ州、Ｔｅｒｒｅ  Ｈａｕｔｅ）により製造され、商標名Ｘ１５３０６、Ｘ１０９６２、及びＸ１０９６４で販売されているもの等のフィルムが挙げられる。他の好適なバックシート２６の材料としては、蒸気が吸収性物品２０から逃れることを可能にしながらも、依然として排出物がバックシート２６を通り抜けることを防ぐ通気性材料を挙げることができる。例示的な通気性材料としては、織布ウェブ、不織布ウェブ、フィルムコーティング不織布ウェブなどの複合材料、並びにＥＳＰＯＩＲ  ＮＯの名称で日本のＭｉｔｓｕｉ  Ｔｏａｔｓｕ社により製造されている微多孔質フィルム及びＥＸＸＡＩＲＥの名称でＥＸＸＯＮ  Ｃｈｅｍｉｃａｌ社（テキサス州、Ｂａｙ  Ｃｉｔｙ）により製造されている微多孔質フィルムなどの材料を挙げることができる。ポリマーブレンドを含む好適な通気性複合材料は、名称ＨＹＴＲＥＬブレンドＰ１８−３０９７として、Ｃｌｏｐａｙ社（オハイオ州、Ｃｉｎｃｉｎｎａｔｉ）から入手可能である。このような通気性複合材料は、国際公開第９５／１６７４６号及び米国特許第５，８６５，８２３号により詳述されている。不織布ウェブ及び孔形成フィルムを含む他の通気性バックシートが、米国特許第５，５７１，０９６号に記載されている。例示的な好適なバックシートは、米国特許第６，１０７，５３７号に開示されている。他の好適な材料及び／又は製造技術には、限定はされないが、表面処理、特定のフィルムの選択及び加工、特定のフィラメントの選択及び加工、等が挙げられ、好適なバックシート２６を提供するために使用され得る。
【００３８】
バックシート２６は、２つ以上の層から構成され得る。バックシート２６は、外側カバー及び内側層を含み得る。外側カバーは、柔らかい不織布材料から作製され得る。内側層は、実質的に液体不透過性のフィルムから作製され得る。外側カバー及び内側層は、接着剤又は任意の他の好適な材料又は方法によって共に接合されてもよい。特に好適な外側カバーは、供給元コードＡ１８ＡＨ０としてＣｏｒｏｖｉｎ社（ドイツ国、Ｐｅｉｎｅ）から入手可能であり、特に好適な内側層は、供給元コードＰＧＢＲ４ＷＰＲとしてＲＫＷ  Ｇｒｏｎａｕ社（ドイツ国、Ｇｒｏｎａｕ）から入手可能である。本明細書では様々なバックシート構成が考えられているが、本発明の趣旨及び範囲から逸脱することなく様々な他の変更及び修正が可能であることは当業者には明らかである。
【００３９】
耳部／締結具：
吸収性物品２０は、前側耳部４０及び／又は後側耳部４２を含み得る。耳部４０、４２は、延伸性、非延伸性、伸縮性、又は非伸縮性であってよい。耳部４０、４２は、不織布ウェブ、織布ウェブ、編布地、高分子フィルム及びエラストマーフィルム、有孔フィルム、スポンジ、発泡体、スクリム、並びにこれらの組み合わせ及び積層体から形成され得る。耳部４０、４２は、不織布／エラストマー材料積層体又は不織布／エラストマー材料／不織布積層体のような伸縮性積層体から形成されてよい。延伸積層体は、当該技術分野において既知の任意の方法によって形成されてよい。例えば、耳部４０、４２は、不織布材料及びエラストマー要素のうちの少なくとも一層を含むゼロ歪み延伸積層体として形成されてよい。エラストマー要素は、弛緩又は実質的に弛緩状態で不織布材料の層に貼り付けられ、結果として生じた積層体は、不織布層を恒久的に伸長するが、エラストマー要素を一時的に伸長する活性化プロセスを積層体に受けさせることにより、延伸性（又は、更にある範囲を超えてより延伸性）とされる。不織布層は、シャーシ２２の少なくとも一部分と一体であってもよく、その場合、エラストマー要素は、不織布層に貼り付けられてもよく、不織布／エラストマー要素積層体が、続いて活性化される。別の方法としては、不織布層は、別体の構成要素であってよく、その場合、エラストマー要素は、不織布層に貼り付けられて積層体を形成し、これは次いで本体部分に結合される。サイドパネルの１つ以上の層が、別々に提供される場合、積層体は、本体部分に貼り付けられる前又は後のいずれかで活性化され得る。ゼロ歪み活性化プロセスは米国特許第５，１６７，８９７号及び同第５，１５６，７９３号に更に開示されている。好適な伸縮性耳部は、２つの不織布層（例えば供給元コードＦＰＮ３３２としてＢＢＡ  Ｆｉｂｅｒｗｅｂ社（テネシー州、Ｂｒｅｎｔｗｏｏｄ）から入手可能）の間に配置されたエラストマーフィルム（例えばＴｒｅｄｅｇａｒ社（バージニア州、Ｒｉｃｈｍｏｎｄ）から供給元コードＸ２５００７として入手可能なものなど）を含む、活性化された積層体であり得る。
【００４０】
耳部４０、４２は別体であるか、又は一体化されてよい。別体の耳部は、シャーシ２２に接合される別体の要素として形成される。一体化された耳部は、長手方向縁部１２から横に向かって外側に突出するシャーシ２２の一部である。一体化された耳部は、耳部突出部の形状を含むようにシャーシ形状を切断することで形成され得る。
【００４１】
吸収性物品２０は締結システム５０を含んでもよい。締結時、締結システム５０は、第１の腰部領域３６と後側腰部領域３８を相互に接続し、吸収性物品２０の着用時に、着用者を取り囲むことができる腰部の外周となる。締結システム５０は、例えば、テープタブ、フックとループの締結要素、タブ及びスロットのような係合締結具、バックル、ボタン、スナップ、及び／又は雌雄同体締結要素等の締結具を含んでよいが、他の既知の任意の締結手段も、概して使用可能である。いくつかの代表的な表面締結システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的な係合締結システムは、米国特許第６，４３２，０９８号に開示されている。締結システム５０は、米国特許第４，９６３，１４０号に開示されるように、使い捨て構成の物品を保持する手段も提供し得る。締結システム５０は、米国特許第４，６９９，６２２号に開示されるように、一次及び二次締結装置も含み得る。締結システム５０は、米国特許第５，２４２，４３６号、同第５，４９９，９７８号、同第５，５０７，７３６号、及び同第５，５９１，１５２号に開示されているように、重なり合っている部分のずれを低減するか、又はフィット性を改善するように構成されてもよい。
【００４２】
レッグガスケットシステム：
吸収性物品２０は、シャーシ２２に装着されるレッグガスケットシステム７０を含んでもよい。図２及び図３は、平坦で、非収縮状態にある図１の例示的レッグガスケットシステムの概略断面図を示し、この図は、横方向中心線１１０を介して切り取られている（図２は左側のレッグガスケットシステムの概略断面図であり、図３は、トップシートに対する両側のレッグガスケットシステムの概略断面図である）。また、図４〜図９は、図１の例示的レッグガスケットシステム７０の概略断面図を示す。図４〜図６は、不透明度強化パッチ８０を含まない図１の使い捨て吸収性物品の断面図であり、図７〜図９は、不透明度強化パッチ８０を含む図１の使い捨て吸収性物品の断面図である。図７〜図９の物品は、不透明度強化パッチ８０は、おむつシャーシ２２の４つの角部に位置されており、バックシート２６の高分子フィルムの内側層及び耳部４０、４２はいずれも一部が重なり合っている。図４及び図７は、図１の線Ａ−Ａから見た概略断面図である。図５及び図８は、図１の線Ｂ−Ｂから見た概略断面図である。図６及び図９は、図１の線Ｃ−Ｃから見た概略断面図である。様々な物品では、レッグガスケットシステム７０は、内側カフの折り畳まれた縁部７２及び内側カフの材料縁部７３を有する内側カフ７１を含んでもよい。レッグガスケットシステム７０は、外側カフの折り畳まれた縁部７５と外側カフの材料縁部７６とを有する外側カフ７４を更に含んでもよい。
【００４３】
それぞれのレッグガスケットシステム７０は、１つの連続した材料のウェブを含んでもよい。１つの連続した材料のウェブを有するレッグガスケットシステムは、コスト面において、１つ以上の材料のウェブを有するレッグガスケットシステムを上回る有利性をもたらし得る。更に、１つの材料のウェブから形成されるレッグガスケットシステムは、２つ以上の材料のウェブを接着させることによって作られる穴が存在しないため、漏れはより少なくなり得る。また、１つの材料のウェブを有するレッグガスケットシステムは、目に見える機械的な接着部が少ないので、見た目がより美しいものとなり得る。レッグガスケットシステム７０は、材料の２つ以上のウェブ（共に接合して１つの材料のウェブとなる複数の材料のウェブ、又は使い捨て吸収性物品シャーシから分離され、レッグガスケットシステムの一部を形成する異なる複数の材料のウェブ）から形成されてもよい。本明細書において、レッグガスケットシステム７０上の位置（例えば、折り畳まれた縁部、材料縁部など）は、「材料のウェブ」又は「材料のウェブの一部」に関連して詳述される。「材料のウェブ（a web of material）」又は「当該材料のウェブ（the web of material）」の説明には、１つの連続した材料のウェブ、共に接合し１つの材料のウェブとなる複数の材料のウェブ、又は使い捨て吸収性物品シャーシから分離され、レッグガスケットシステムの一部を形成する異なる複数の別個の材料のウェブから形成され得るレッグガスケットシステムを示す。こうしたレッグガスケットシステムが全て意図される。
【００４４】
レッグガスケットシステム７０は、内側カフの折り畳まれた縁部７２及び内側カフの材料縁部７３を有する内側カフ７１を含んでもよい。レッグガスケットシステム７０は、外側カフの折り畳まれた縁部７５と外側カフの材料縁部７６とを有する外側カフ７４を更に含んでもよい。材料のウェブは、（吸収性物品２０の長手方向中心線１００に対して）横方向に内側に折り畳んで、外側カフの折り畳まれた縁部７５を形成し、かつ（吸収性物品２０の長手方向中心線１００から離れるように）横方向に外側に折り畳んで、内側カフの折り畳まれた縁部７２を形成してもよい。
【００４５】
外側カフの折り畳まれた縁部７５と外側カフの材料縁部７６との間の材料のウェブの少なくとも一部は、第１の腰部領域３６、第２の腰部領域３８及び股領域３７において、シャーシ２２（例えば、トップシート２４、バックシート２６、及び／又は不透明度強化パッチ８０）に貼り付けられてもよい。１つ以上のカフ貼り付け接着部４３、４４を用いて、シャーシ２２への貼り付けが行われる。１つ以上のカフ貼り付け接着部４３、４４は、第１の腰縁部１３から第２の腰縁部１４までで連続的又は実質的に連続的であってもよい（例えば、連続的断続パターン）。図３〜図６の例示的物品に示すように、第１のカフ貼り付け接着部４３は、外側カフの折り畳まれた縁部７５と外側カフの材料縁部７６との間の材料のウェブの少なくとも一部をトップシート２４に貼り付ける。また、第２のカフ貼り付け接着部４４は、外側カフの折り畳まれた縁部７５と外側カフの材料縁部７６との間の材料のウェブの少なくとも一部をバックシート２６の内側層に貼り付ける（例えば、バックシートフィルム）。図３〜図６では、１つの第１のカフ貼り付け接着部４３及び１つの第２のカフ貼り付け接着部４４を示すが、複数の第１のカフ貼り付け接着部４３及び／又は複数の第２のカフ貼り付け接着部４４を有する物品が意図される。図７〜図９に示すように、第１のカフ貼り付け接着部４３は、外側カフの折り畳まれた縁部７５と外側カフの材料縁部７６との間の材料のウェブの少なくとも一部をトップシート２４に貼り付ける。また、少なくとも１つの第２のカフ貼り付け接着部４４により、第１の腰部領域３６の少なくとも一部及び第２の腰部領域３８の少なくとも一部において、外側カフの折り畳まれた縁部７５と外側カフの材料縁部７６との間の材料のウェブの少なくとも一部を不透明度強化パッチ８０に貼り付ける。不透明度強化パッチは、バックシート２６の内側層（例えば、バックシートフィルム）に少なくとも１つのＯＳＰ接着部（複数可）４６によって貼り付けられる。股領域３７、第１の腰部領域３６の一部、及び第２の腰部領域３８の一部において、外側カフの折り畳まれた縁部７５と外側カフの材料縁部７６との間の材料のウェブの少なくとも一部は、カフ貼り付け接着部４４からバックシート２６（内側又は外側バックシート層）に貼り付けられる。換言すると、第１の腰縁部１３から第２の腰縁部１４では、外側カフの折り畳まれた縁部７５と外側カフの材料縁部７６との間の材料のウェブの少なくとも一部は、連続した又は実質的に連続した第２のカフ貼り付け接着部（複数可）４４により、バックシート２６又は不透明度強化パッチ８０のいずれかに貼り付けられる。図７〜図９には、１つの第１のカフ貼り付け接着部４３を示すが、複数の第１のカフ貼り付け接着部４３を有する物品を意図する。カフ貼り付け接着部４３、４４及びＯＳＰ接着部４６は、のり、熱接着、圧着、ＣＰＷ結合の形態か、又は当業者に既知の他の接着方法であってもよい。図３〜図９では、カフ貼り付け接着部４３、４４及びＯＳＰ接着部４６は、のり接着形態をとる。
【００４６】
更に、内側カフの折り畳まれた縁部７２と外側カフの折り畳まれた縁部７５との間の材料のウェブの少なくとも一部は、少なくとも股領域３７及び第１の腰部領域３６において、外側カフの折り畳まれた縁部７５と外側カフの材料縁部７６との間の材料のウェブの少なくとも一部に貼り付けられる。少なくとも股領域３７及び第１の腰部領域３６での内側カフの折り畳まれた縁部７２と外側カフの折り畳まれた縁部７５との間の材料のウェブの外側カフの折り畳まれた縁部７５と外側カフの材料縁部７６との間の材料のウェブへの貼り付けは、１つ以上のカフ分離接着部４５を使用して行われる。図１〜図９に示すとおり、カフ分離接着部は、股領域３７、第１の腰部領域３６及び第２の腰部領域３８の一部において、内側カフの折り畳まれた縁部７２と外側カフの折り畳まれた縁部７５との間の材料のウェブの少なくとも一部を外側カフの折り畳まれた縁部７５と外側カフの材料縁部７６との間の材料のウェブに貼り付ける。カフ分離接着部４５は、のり、熱接着、圧着、ＣＰＷ結合の形態か、又は当業者に既知の他の接着方法であってもよい。図３〜図９では、カフ分離接着部４５は、のりによる接着形態をとる。
【００４７】
図１及び図４から図９に示すとおり、第２の腰部領域３８の少なくとも一部では、内側カフの折り畳まれた縁部７２と外側カフの折り畳まれた縁部７５との間の材料のウェブは、外側カフの折り畳まれた縁部７５と外側カフの材料縁部７６との間の材料のウェブに貼り付けられていない。第２の腰部領域３８の少なくとも一部において外側カフの折り畳まれた縁部７５と外側カフの材料縁部７６との間の材料のウェブに貼り付けられていない内側カフの折り畳まれた縁部７２と外側カフの折り畳まれた縁部７５との間の材料のウェブにより、レッグガスケットシステム７０の第２の腰部領域の少なくとも一部にレッグガスケットシステムポケット４７が形成される。レッグガスケットシステムポケット４７は、内側の長手方向縁部４８及び外側の長手方向縁部４９を含み、これらの縁部がレッグガスケットシステムポケットの横方向寸法を画定する。レッグガスケットシステムポケット４７の内側の長手方向縁部４８は、カフ分離接着部４５が長手方向に延びる線に隣接していてもよい。外側の長手方向縁部４９は、外側カフの折り畳まれた縁部７５と隣接していてもよい。あるいは、外側の長手方向縁部４９は、外側カフ７４の最外側の接着部と隣接していてもよい。
【００４８】
レッグガスケットシステムポケット４７は、レッグガスケットシステムポケット４７の内側の長手方向縁部４８に沿った距離にある開口部５１を含んでもよい。開口部５１は、カフ分離接着部４５の中断部によって形成される。図１を参照すると、カフ分離接着部４５は、吸収性物品の長手方向に延び、第１の腰部領域３６及び股領域３７において連続しているか、又は実質的に連続している（例えば、連続的断続パターンで）。連続カフ分離接着部４５は、連続して第２の腰部領域３８となるが、画定された距離で停止し、再度同じ長手方向線に沿って開始する。カフ分離接着部４５が長手方向線に沿って停止する距離は、内側カフの折り畳まれた縁部７２と外側カフの折り畳まれた縁部７５との間の材料のウェブが、外側カフの折り畳まれた縁部７５と外側カフの材料縁部７６との間の材料のウェブに貼り付けられていない距離である。したがって、この距離は、レッグガスケットシステムポケット４７の内側の長手方向縁部４８に沿って延びる開口部５１の長さである。開口部５１は、内側の横方向縁部５２及び外側の横方向縁部５３を有し、カフ分離接着部４５が長手方向線に沿って開始し、停止する。その長手方向線に沿ってカフ分離接着部４５がある。図１に示すとおり、開口部５１の長さは、カフ分離接着部４５がそれに沿って延びている長手方向線に沿って切り取ったときに、内側の横方向縁部５２と外側の横方向縁部５３との間の距離を計測することによって決定できる。
【００４９】
レッグガスケットシステムポケット４７は、レッグガスケットシステムポケット４７の内側の長手方向縁部４８に沿って再び距離が延びている開口部５１を含んでもよい。開口部５１は、カフ分離接着部４５のひと続きの中断部によって形成される。図１を参照すると、カフ分離接着部４５は、吸収性物品の長手方向に延び、第１の腰部領域３６及び股領域３７において連続している。連続カフ分離接着部４５は、連続して第２の腰部領域３８となるが、画定された距離では、断続的接着パターンとなり（例えば、停止−開始−停止−開始）、再び同じ長手方向線に沿って連続する。カフ分離接着部４５が長手方向線に沿って断続的接着パターンになる距離は、内側カフの折り畳まれた縁部７２と外側カフの折り畳まれた縁部７５との間の材料のウェブが、外側カフの折り畳まれた縁部７５と外側カフの材料縁部７６との間の材料のウェブに断続的に貼り付けられた距離である。カフ分離接着部４５の距離に対して、この断続的パターンによりひと続きの小さいポケットが形成され、本明細書ではレッグガスケットシステムポケットとも称する。
【００５０】
ポケット及び開口部は、特定の種類の排出物に対して、及び漏れの予防を必要とする特定の状況において、必要に応じて、第１の腰部領域、第２の腰部領域、又は股領域において形成し得る。例えば、うつぶせに寝る着用者は、就寝している間前腰部からの尿の漏れを止めるにあたって、前腰部領域に位置するポケット及び開口部から恩恵を得ることができる。同様に、立位での重力により中心に配置される可能性が高い排出物を収容するにあたって、立位で本品を着用する使用者の股領域上に開口部を形成することが重要であり得る。
【００５１】
開口部５１は、長手方向に約５ｍｍ〜約１００ｍｍの間であるか、又は任意の範囲若しくは約５ｍｍ〜約１００ｍｍの範囲内の距離であってもよく、一部の物品では、開口部は約７５ｍｍ又は約５０ｍｍであり、他の物品では、開口部は約１ｍｍ〜約２０ｍｍである。開口部５１の長さは、レッグガスケットシステムポケット４７の長手方向全長の約１％〜約７５％の間であってもよい（又は任意の範囲又は約１％〜約７５％の範囲内のパーセンテージ）。レッグガスケットシステムポケット４７の長手方向全長は、ポケットの長手方向に最遠端の内側部分から、ポケットの長手方向に最遠端の外側部分までの距離である。図１に示すとおり、カフ分離接着部４５がその長手方向線に沿って延びている長手方向線に沿って切り取った場合、レッグガスケットシステムポケット４７の長手方向の全長は、開口部５１の内側の横方向縁部５２から、吸収性物品２０の第２の腰縁部１４までの距離である。換言すると、図１に示す物品については、レッグガスケットシステムポケット４７の長手方向寸法は、開口部５１の内側の横方向縁部５２及び第２の腰縁部１４によって画定される。レッグガスケットシステムポケット４７の長手方向の全長は、長手方向に約５ｍｍ〜約２００ｍｍであるか、又は任意の範囲若しくは約５ｍｍ〜約２００ｍｍの範囲内の距離であってもよく、一部の物品では、約１００ｍｍ、約７５ｍｍ、又は約５０ｍｍであり、あるいは長手方向の全長は約１ｍｍ〜約２０ｍｍである。
【００５２】
レッグガスケットシステムポケット４７の横方向の全幅は、ポケットの横方向に最遠端の内側部分からポケットの横方向に最遠端の外側部分までの距離である。図１に示す物品については、第２の腰縁部１４と平行であり、かつ、レッグガスケットシステムポケットの開口部５１の中間を中心とした線に沿って切り取ったとき、レッグガスケットシステムポケット４７の横方向の全幅は、レッグガスケットシステムポケットの長手方向に内側の縁部４８からレッグガスケットシステムポケットの長手方向に外側の縁部４９の距離である。換言すると、図１に示す例示的物品については、レッグガスケットシステムポケット４７の横方向寸法（すなわち幅）は、レッグガスケットシステムポケット４７の内側及び外側の長手方向縁部４８、４９によって画定される。レッグガスケットシステムポケット４７の横方向の全幅は、横方向に約５ｍｍ〜約６０ｍｍの間であるか、又は任意の範囲若しくは約５ｍｍ〜約６０ｍｍの範囲内の距離であってもよく、一部の物品では、約３０ｍｍ、約２５ｍｍ、又は約２０ｍｍであり、他の物品では、横方向の全幅は約１ｍｍ〜約２０ｍｍである。レッグガスケットシステムポケット４７の横方向の全幅は、レッグガスケットシステムポケット４７の長手方向の全長の約１％〜約７５％（又は任意の範囲若しくは約１％〜約７５％の範囲内のパーセンテージ）であってもよい。開口部５１の長さは、レッグガスケットシステムポケット４７の横方向の全幅の約２０％〜約１００％（任意の範囲又は約２０％〜約１００％の範囲内の距離）であってもよい。
【００５３】
吸収性物品の着用者が液状の排便を有する場合、液状の排便は多くの場合、排便時に広がり、レッグカフと着用者の脚との間の区域又は腰部領域から着用者の背中との間の区域で吸収性物品から漏れる。このタイプの漏れは、多くの場合、使用者の身体と貼り付けられた吸収性物品とがぴったりフィットしているために、着用者が動いている間に液状の排便が吸収性物品内に収容されるための十分な余裕がないために発生する。本明細書に詳述するとおりレッグガスケットシステム（複数可）を組み合わせたときに、本明細書に詳述するとおり、レッグガスケットシステムポケット４７の１つの利点は、身体排出物を収容するために（例えば、便物質など）レッグカフ内において更なる空隙容量をもたらす追加のポケット区域がある点である。着用者が動くとき、着用者の背中と吸収性物品の背部腰部領域間の区域又はレッグカフと吸収性物品の着用者の脚との間の区域に漏れる前に、身体排出物の一部が移動して収容されるためにレッグガスケットシステムポケット４７に入り、レッグガスケットシステム内の不織布の２つの層の間に保持／捕捉される。このため、本明細書の詳述したレッグガスケットシステムポケット４７により漏れが減少する。更に、レッグガスケットシステムポケット４７は、便物質を収容するためにレッグカフ内において更なる空隙容量となり、この容量が便物質を着用者の皮膚から分離する際の補助となり、分離シートによって前面に向かう流れを制限する。
【００５４】
レッグガスケットシステムポケット４７には、伸縮部材７７を含まなくてもよい。レッグガスケットシステムポケット４７は、１つ以上のスナップバック伸縮部材を含んでもよい。レッグガスケットシステムポケット４７は、吸収性物品の第２の腰縁部１４に沿って、第２の開口部５５を有してもよい。レッグガスケットシステムポケット４７は、第２の腰縁部１４に沿って封止させてもよい。
【００５５】
外側カフの折り畳まれた縁部７５と外側カフの材料縁部７６との間の材料のウェブの少なくとも一部は、第１の腰部領域３６、第２の腰部領域３８及び股領域３７において、シャーシ２２（例えば、トップシート２４、バックシート２６及び／又は不透明度強化パッチ８０）に貼り付けられてもよく、内側カフの折り畳まれた縁部７２と外側カフの折り畳まれた縁部７５との間の材料のウェブの少なくとも一部は、股領域３７及び第１の腰部領域３６において、外側カフの折り畳まれた縁部７５と外側カフの材料縁部７６との間の材料のウェブに貼り付けられてもよく、外側カフは、弾性接着剤７９及び外側カフの折り畳まれた縁部７５に対して平行に延びる少なくとも１つの長手方向に配向された伸縮部材を含み、弾性接着剤７９及び少なくとも１つの伸縮部材は、１）外側カフの折り畳まれた縁部７５と外側カフの材料縁部７６との間の材料のウェブと、２）外側カフの折り畳まれた縁部７５と内側カフの折り畳まれた縁部７２との間の材料のウェブとの間に配置され、第２の腰部領域の少なくとも一部において、外側カフは、弾性接着剤７９及び伸縮部材７７を含まず、このため、１）外側カフの折り畳まれた縁部７５と外側カフの材料縁部７６との間の材料のウェブと、２）外側カフの折り畳まれた縁部７５と内側カフの折り畳まれた縁部７２との間の材料のウェブとの間にレッグガスケットシステムポケット４７を形成し、このレッグガスケットシステムポケット４７は、外側カフの折り畳まれた縁部７５において外側の長手方向縁部４９を有し、レッグガスケットシステムポケット４７は、レッグガスケットシステムポケットの内側の長手方向縁部４８に開口部５１を含む。
【００５６】
ポケット４７は、使用前にポケット４７の機能性を示すように、着用者又は介護者がポケット４７の少なくとも一部（例えば、ポケット全体）を見ることができるように、ポケット周辺部（例えば、ポケットの全周囲）の少なくとも一部を画定する熱接着部又は圧縮接着部を含むこともできる。
【００５７】
ポケット４７は、シャーシの横方向縁部に対して延在させて、液状の排便の流れを容易にするためのチャネルを形成してもよい。この開放型チャネルは、のり、機械的接着、熱接着などの任意の好適な接着技術で封止してもよい。
【００５８】
ポケット４７の少なくとも一部において、疎水性（低表面張力裏抜け又は静水頭など）は、排出物がポケットを構成する材料から漏れないような方法で増大し得る。したがって、これにより収容した便物質と着用者との分離が維持される。疎水性の増大は、疎水性コーティング、インク、のり、シリコーン、追加の材料又はこれらの任意の組み合わせを施すことによって、又は当該技術分野において既知の他の手段によって得られる。
【００５９】
外側カフ７４及び内側カフ７１は、同じ色であってもよい。外側カフ７４及び内側カフ７１は、異なる色であってもよい。レッグガスケットシステム７０のカフの１つ以上に、追加の印刷が施されていてもよい。内側及び外側カフの両方に印刷されている物品では、それぞれのカフにおいて印刷が同じであっても、異なっていてもよい。
【００６０】
レッグガスケットシステム７０は、使用前に利点を示すことができるように、ポケット４７の少なくとも一部の輪郭を描くか、又はポケット４７の少なくとも一部を画定する印刷ゾーンを含む場合もある。
【００６１】
外側カフ７４は、外側カフの折り畳まれた縁部７５と外側カフの材料縁部７６との間に、横方向配列で配置される伸縮部材７７を含んでよい。図２から図４に示すように、伸縮部７７、７８は、外側カフを形成する材料のウェブの一部に弾性接着剤７９によって貼り付けられる。伸縮部は、１）外側カフの折り畳まれた縁部７５と外側カフの材料縁部７６との間の材料のウェブの一部と、２）外側カフの折り畳まれた縁部７５と内側カフの折り畳まれた縁部７２との間の材料のウェブの一部との間に配置されてもよい。外側カフ７４は、少なくとも２つの伸縮部材７７、少なくとも３つの伸縮部材７７、少なくとも４つの伸縮部材７７、少なくとも５つの伸縮部材７７又は少なくとも６つの伸縮部材７７を含んでもよい。伸縮部材７７は、外側カフの折り畳まれた縁部７５と内側カフの材料縁部７３との間に配置されてもよい。
【００６２】
内側カフ７１は、内側カフの折り畳まれた縁部７２と内側カフの材料縁部７３との間に、横方向配列で配置される伸縮部材７８の列を含んでもよい。伸縮部は、弾性接着剤７９によって、内側カフを形成する材料のウェブの一部に貼り付けられる。伸縮部は、１）内側カフの折り畳まれた縁部７２と内側カフの材料縁部７３との間の材料のウェブの一部と、２）内側カフの折り畳まれた縁部７２と外側カフの折り畳まれた縁部７５との間の材料のウェブの一部との間に配置されてもよい。内側カフ７１は、少なくとも１つの伸縮部材７８、少なくとも２つの伸縮部材７８、少なくとも３つの伸縮部材７８、少なくとも４つの伸縮部材７８又は少なくとも５つの伸縮部材７８を含んでもよい。伸縮部材７８は、内側カフの折り畳まれた縁部７２と外側カフの材料縁部７６との間に配置されてもよい。
【００６３】
外側カフ７４は、内側カフ７１の伸縮部材（複数可）７８よりも少なくとも１つ多い伸縮部材７７を含んでもよい。内側カフの材料縁部７３は、外側カフの材料縁部７６の横方向に外側にあってもよい。
【００６４】
伸縮部材７７及び７８は、部材の一方の縁部から部材の他方の縁部まで少なくとも２ｍｍ、必要に応じて少なくとも３ｍｍ離して、必要に応じて少なくとも３．５ｍｍ離して、必要に応じて少なくとも４ｍｍ離して、必要に応じて少なくとも４．５ｍｍ離して、必要に応じて少なくとも５ｍｍ離して、必要に応じて少なくとも５．５ｍｍ離して、必要に応じて少なくとも６ｍｍ離して、必要に応じて少なくとも６．５ｍｍ離して、必要に応じて少なくとも７ｍｍ離して、必要に応じて少なくとも７．５ｍｍ離して、必要に応じて少なくとも８ｍｍ離して、必要に応じて少なくとも８．５ｍｍ離して、必要に応じて少なくとも９ｍｍ離して、必要に応じて少なくとも９．５ｍｍ離して、必要に応じて少なくとも１０ｍｍ離して、必要に応じて少なくとも１０．５ｍｍ離して、必要に応じて少なくとも１１ｍｍ離して、必要に応じて少なくとも１１．５ｍｍ離して、必要に応じて少なくとも１２ｍｍ離して、離間配置されてもよい。最外側の伸縮部材７７及び７８は、外側カフの材料縁部７６及び内側カフの材料縁部７３から約２ｍｍ未満、必要に応じて約１．５ｍｍ未満、約１ｍｍ未満であってもよい。
【００６５】
外側カフ７４は、約４ｍｍ離れた４つの伸縮部材７７を有してもよい。外側カフ７４は、約２ｍｍ／７ｍｍ／２ｍｍ離れている４つの伸縮部材を有してもよい。外側カフ７４は、約６ｍｍ離れた３つの伸縮部材７７を有してもよい。外側カフ７４は、約１２ｍｍ離れた２つの伸縮部材を有してもよい。外側カフ７４は、外側カフの折り畳まれた縁部７５から離間されるように、約３ｍｍ／６ｍｍ／３ｍｍ離れている２つの伸縮部材を有してもよい。伸縮部材は、外側カフの折り畳まれた縁部７５から約２ｍｍ、必要に応じて外側カフの折り畳まれた縁部７５から約０ｍｍであってもよい。
【００６６】
レッグガスケットシステム７０は、内側カフの折り畳まれた縁部７２及び内側カフの材料縁部７３を有する内側カフ７１を有してもよい。レッグガスケットシステム７０は、外側カフの折り畳まれた縁部７５と外側カフの材料縁部７６とを含む、外側カフ７４を更に含んでもよい。レッグガスケットシステムは、内側カフ７１を有する第１の材料と、外側カフ７４を有する第２の材料と、を含み得る。第１材料及び第２材料は重なり合い、任意の好適な接着手段により、それぞれの材料の長手方向縁部に沿って１つに接合され得る（すなわち、１つのウェブ）か、又は材料のウェブは分離していてもよい。材料のウェブは横方向に内側に向かって折り畳まれて外側カフの折り畳まれた縁部７５を形成してもよく、かつ材料のウェブは横方向に外側に向かって折り畳まれて内側カフの折り畳まれた縁部７２を形成してもよい。外側カフ７４の近位縁部は境界を共有してもよい。外側カフ７４の近位縁部は、約２ｍｍ超、約４ｍｍ超、約６ｍｍ超、約１０ｍｍ超離れて離間配置されてもよい。カフの近位材料縁部は両方とも、内側カフに接着させてもよい。外側カフ７４の近位材料縁部の一方のみを内側カフに接着させてもよい。外側カフの近位材料縁部は、任意の適当な接着手段を用いて一緒に保持される。
【００６７】
レッグガスケットシステム７０は、約１０ｍｍ、必要に応じて約２０ｍｍ、必要に応じて約３０ｍｍ、必要に応じて約６０ｍｍ以上シャーシ長手方向縁部１２の横方向に内側に離間配置されてもよい。シャーシの横方向の外側縁部は、外側カフの横方向縁部によって画定されてもよい。バックシート及び／又は高分子フィルムは、約１０ｍｍ、必要に応じて約２０ｍｍ、必要に応じて約３０ｍｍ、必要に応じて約４０ｍｍ、外側カフ縁部の横方向に内側に離間配置されてもよい。
【００６８】
レッグガスケットシステム７０の横方向の外側縁部は、腰部領域の少なくとも１つにおいて、物品の長手方向の縁部の少なくとも一部分の横方向の内側に配置されてよい。したがって、前側耳部４０及び／又は後側耳部４２は、レッグガスケットシステム７０を超えて延びてもよい。
【００６９】
内側カフ７１の高さは、少なくとも約１０ｍｍ、少なくとも約２０ｍｍ、少なくとも約３０ｍｍ、少なくとも約３２ｍｍ、少なくとも約３５ｍｍ、少なくとも約３８ｍｍであってもよい。外側カフ７４の高さは、少なくとも約１５ｍｍ、少なくとも約２３ｍｍ、少なくとも約２５ｍｍ、少なくとも約２７ｍｍ、少なくとも約３０ｍｍであってもよい。内側カフの高さは、股領域内において、内側カフの折り畳まれた縁部７２から、内側カフの材料縁部７３を超えた材料への第１の接続点まで測定される。外側カフの高さは、股領域内において、外側カフの折り畳まれた縁部７５から、内側カフの材料縁部７３を超えて、内側カフ７２が有する材料への第１の接続点まで、測定される。したがって、内側カフ及び外側カフは、それらの対応する折り畳まれた縁部から、内側カフが、内側カフの材料縁部を越えて第１の材料まで接続される点まで測定される。
【００７０】
本発明に詳述したレッグガスケットシステム７０の１つの利点は、実質的に液体不透過性の材料をカフの構成で使用するとき、高分子フィルム層を狭くしても又は全く存在させなくともよく、より費用効果の高い設計を生む。信頼性の高い加工を行う接着剤技術を使用することによって、より信頼性の高い性能が得られ、実質的に液体不透過性なシールが作られる。この技術は、余分に重複するシール部に対する必要性を低減させるため、フィルム層を狭くすることが可能となり、吸収性コアよりも若干広い程度の狭いフィルム層とすることが可能となる。
【００７１】
バックシートの高分子フィルムは、吸収性コアより約５０ｍｍ未満広くてもよく、必要に応じて、約４０ｍｍ未満広い、又は約３０ｍｍ未満広くてもよい。バックシートの高分子フィルムは、シャーシ幅より少なくとも約２０ｍｍ、必要に応じて、シャーシ幅より少なくとも約４０ｍｍ、必要に応じて、シャーシ幅より少なくとも約６０ｍｍ、必要に応じて、シャーシ幅より少なくとも約８０ｍｍ、必要に応じて、シャーシ幅より少なくとも約１００ｍｍ、必要に応じて、シャーシ幅より少なくとも約１２０ｍｍ、狭くてもよい。
【００７２】
レッグカフは、スロットコーティングした接着剤によって、トップシート及び／又はバックシートに接合してもよい。少なくとも約１２ｇｓｍの接着剤を塗布してもよく、必要に応じて少なくとも約１５ｇｓｍの接着剤を塗布し、必要に応じて少なくとも約２０ｇｓｍの接着剤を塗布し、必要に応じて少なくとも約２５ｇｓｍの接着剤を塗布し、必要に応じて少なくとも約４０ｇｓｍの接着剤を塗布し、必要に応じて少なくとも約６０ｇｓｍの接着剤を塗布する。接着剤は、少なくとも約１ｍｍ幅、必要に応じて少なくとも約３ｍｍ幅、必要に応じて少なくとも約７ｍｍ幅であってもよい。接着剤は、フィルムの外側の横方向縁部の少なくとも約２ｍｍ内側であってもよい。必要に応じてフィルムの外側の横方向縁部の少なくとも約４ｍｍ内側、必要に応じてフィルムの外側の横方向縁部の少なくとも約６ｍｍ内側であってもよい。レッグカフは、２つの重なり合って、重複しているらせん状の接着剤スプレーによって、必要に応じて３つの重なり合って、重複しているらせん状の接着剤スプレーによって、トップシート及び／又はバックシートに接合してもよい。
【００７３】
排出物を補足できるポケット４７及び開口部５１などの本発明の説明は、吸収性コアを含まない物品と共に用いることができる。これは、排出物を製品内に吸収させることなく、分析するためにより簡単に排出物の収集が可能になるため、医療産業で使用するように設計されている製品にとって有用である。
【００７４】
本明細書に詳述した吸収性物品に有用であり得る更なる例示的レッグガスケットシステム７０を貼付図の図１１ａ〜図１１ｔに示す。
【００７５】
不透明度強化パッチ：
不透明度強化パッチ８０は、シャーシ２２の一部として組み込まれてもよい。不透明度強化パッチ８０は、材料の追加層である。不透明度強化パッチ８０は、レッグガスケットシステム７０、高分子フィルム層、又はバックシート２６に接続され得る。不透明度強化パッチ８０は、物品の第１の腰部領域３６、第２の腰部領域３８のいずれか又は物品の第１の腰部領域３６、第２の腰部領域３８の両方において、バックシート２６とレッグガスケットシステム７０との間に配置されてもよく、不透明度強化パッチ８０は、レッグガスケットシステム７０及び／又は高分子フィルム層（すなわち、バックシート２６の内層）の少なくとも１つに重なってもよい。適用プロセス時又は着用時に生じる負荷を、物品の横方向縁部から、レッグガスケットシステム７０及び／又は高分子フィルム層まで移動させることができるように、不透明度強化パッチ８０は、任意の適当な手段、例えば、のり、機械的接着、熱接着等によってレッグガスケットシステム７０及び／又は高分子フィルム層のうちの一方又は両方に貼り付けられてもよい。不透明度強化パッチは、適用中及び着用中、物品が過剰に延伸しないようにするために必要な強度を提供するにあたって有用であり、また、使用者の皮膚が物品から見えないように、側面及び腰部に不透明性をもたらすこともできる。したがって、パッチ８０は、強度及び不透明性が望ましい、シャーシ２２の任意の部分に位置していてよい。不透明度強化パッチとして機能するのに好適な材料には、少なくとも約１０ｇｓｍ、少なくとも約１５ｇｓｍ、少なくとも約２５ｇｓｍの坪量を有する材料が挙げられる。本明細書で有用な不透明度強化パッチは、以下の幅方向引張特性を示すこともある：２．５４ｃｍ（１インチ）幅の試料に関して２％の工学歪みにおいて０．４Ｎ、２．５４ｃｍ（１インチ）幅の試料に関して５％の工学歪みにおいて１．２５Ｎ、２．５４ｃｍ（１インチ）幅の試料に関して１０％の工学歪みにおいて２．５Ｎ。本明細書において有用な１つの不透明度強化パッチは、Ｐｅｇａｓ社（チェコ国、Ｚｎｏｊｍｏ）から、供給元番号８０３９６８として入手可能である。
【００７６】
不透明度強化パッチ８０は分離されてもよく、かつ物品の前腰部領域及び後腰部領域に位置される。不透明度強化パッチは、前側において約７０ｍｍの長さ、必要に応じて前側において約９０ｍｍの長さ、必要に応じて前側において約１２０ｍｍの長さであってもよい。不透明度強化パッチは、後側において約７０ｍｍの長さ、必要に応じて後側において約１００ｍｍの長さ、必要に応じて後側において約１４０ｍｍの長さであってもよい。不透明度強化パッチは連続していてもよく、製品の長さ全体にわたる。
【００７７】
不透明度強化パッチは、約１５％超の、必要に応じて約２５％超の、必要に応じて約４０％超の、必要に応じて６０％超のハンター色不透明度を有してもよい。
【００７８】
不透明度強化パッチは高分子フィルム層の横方向に外側である。不透明度強化パッチから高分子フィルム層まで、横方向に方向付けられた適用力及び着用力を伝えるために、不透明度強化パッチを高分子フィルムに貼り付けられるように、不透明度強化パッチは横方向において高分子フィルム層と重なってもよい。当該技術分野において公知な任意の適当な接着手段を使用して、不透明度強化パッチを高分子フィルム層に貼り付けることができる。不透明度強化パッチは、約５ｍｍ、必要に応じて約１０ｍｍ、必要に応じて約１５ｍｍ、必要に応じて約２０ｍｍ、必要に応じて約３０ｍｍ未満、高分子フィルム層に重なってもよい。
【００７９】
横方向の間隙が不透明度強化パッチと高分子フィルム層の間に存在してもよく、不透明度強化パッチは、任意の適当な接着手段によりレッグガスケットシステムに貼り付けられ、レッグガスケットシステムは、適用及び着用の負荷が不透明度強化パッチからガスケットシステムに移動し、次いでガスケットシステムから高分子フィルム層に移動することができるように、任意の適当な接着手段によって、高分子フィルム層に貼り付けられる。間隙は好ましくは３０ｍｍ未満、より好ましくは２０ｍｍ未満、より好ましくは１０ｍｍ未満であってもよい。
【００８０】
横方向の間隙は、不透明度強化パッチと高分子フィルム層との間に存在してもよく、不透明度強化パッチは、任意の適当な接着手段によって、レッグガスケットシステムに貼り付けられてもよく、レッグガスケットシステムの身体に面する面及び衣類に面する面は、不透明度強化パッチからの負荷がレッグガスケットシステムの両方の層によって共有されるように、任意の適当な接着手段によって一緒に貼り付けられてもよい。レッグガスケットシステムは、適用及び着用の負荷が不透明度強化パッチからレッグガスケットシステムに移動し、次いでレッグガスケットシステムから高分子フィルム層に移動することができるように、任意の適当な接着手段によって、高分子フィルム層に貼り付けられてもよい。
【００８１】
適用及び着用の力を不透明度強化パッチからレッグガスケットシステムに移動させる手段として、任意の適当な接着手段によって不透明度強化パッチ層にしっかりと取り付けることができるように、不透明度強化パッチは横方向において、レッグガスケットシステムに重なってもよい。不透明度強化パッチは、約５ｍｍ、必要に応じて約１０ｍｍ、必要に応じて約１５ｍｍ未満、必要に応じて約２５ｍ未満、レッグガスケットシステムに重なってもよい。
【００８２】
レッグガスケットシステムは、不透明度強化パッチとほぼ同じ横方向の引張強度特性を有してもよい。レッグガスケットシステム及びバックシートの不織布外側カバーの組み合わされた特性は、不透明度強化パッチとほぼ同じ、横方向の引張強度を有してもよい。あるいは、外側カバーの不織布は、約０％と約１０％の間の工学歪みという、非常に低い横方向の強度を有してもよい。外側カバーの不織布は、以下の引張特性を呈することができる：２．５４ｃｍ（１インチ）幅の試料に関して１０％の工学歪みにおいて０．４Ｎ。
【００８３】
構成材料：
腰部領域において過剰に横方向に伸張することなく、腰部領域において又は物品において、実質的に適当な力の移動経路を形成することができる材料の横方向の引張特性の多くの組み合わせが存在するということと、材料の力の経路は、不透明度強化パッチから直接高分子フィルム層に、又は高分子フィルム層からすぐ外側の領域における様々な他の層を通じて高分子フィルム層に通ってもよいということが認識される。これらの層には、トップシート、バックシートの不織布、カフ、吸収性アセンブリ、レッグガスケットシステム、又は高分子フィルム層に隣接する領域に位置している任意の他の層が挙げられる。
【００８４】
レッグガスケットシステム７０の材料は、実質的に液体不透過性材料から作られてもよい。材料は、ＳＭＳ不織布材料、ＳＭＭＳ不織布材料、又は「Ｎ繊維」を含む不織布成分層からなる群から選択されてもよい。
【００８５】
様々な不織布繊維ウェブが、スパンボンド、メルトブローン、スパンボンド（ＳＭＳ）ウェブを含み得るが、これは、スパンボンド熱可塑性物質（例えばポリオレフィン）の外側層と、メルトブローン熱可塑性物質の内側層とを備えるものである。レッグガスケットカフ７０は、平均直径１マイクロメートル未満の微細な繊維（「Ｎ繊維」）を有する不織布成分層（「Ｎ繊維層」）を含んでよく、他の不織布成分層に添加されるか、ないしは別の方法で、それと共に組み込まれて不織布材料ウェブを形成してもよい。Ｎ繊維層は、例えば、ＳＮＳ不織布ウェブ又はＳＭＮＳ不織布ウェブを生産するために使用されてもよい。
【００８６】
レッグガスケットカフ７０は、約８マイクロメートル〜約３０マイクロメートルの範囲の平均直径を有する繊維を含む第１の不織布成分層と、約１マイクロメートル未満の数平均直径、約１．５マイクロメートル未満の質量平均直径及び約２未満の質量平均直径と数平均直径との比を有する繊維を含む第２の不織布成分層と、約８マイクロメートル〜約３０マイクロメートルの範囲の平均直径を有する繊維を含む第３不織布成分層と、を備え得る。第２の不織布成分層は、第１の不織布成分層と第３の不織布成分層との中間に配置される。
【００８７】
Ｎ繊維は、例えば、ＰＥＴ及びＰＢＴを含むポリエステル、ポリ乳酸（ＰＬＡ）、アルキド類、ポリプロピレン（ＰＰ）、ポリエチレン（ＰＥ）、及びポリブチレン（ＰＢ）を含むポリオレフィン、エチレン及びプロピレン由来のオレフィンコポリマー、熱可塑性ポリウレタン（ＴＰＵ）及びスチレンブロックコポリマー（種々の種類のＫｒａｔｏｎなどの線状及び放射状ジ−及びトリ−ブロックコポリマー）を含むエラストマー性ポリマー、ポリスチレン、ポリアミド、ＰＨＡ（ポリヒドロキシアルカノエート）及び例えば、ＰＨＢ（ポリヒドロキシブチレート）、並びに熱可塑性デンプンを含むデンプン系組成物から選択される、例えばポリマーを含んでいてよい。上述のポリマーは、ホモポリマー、コポリマー、例えば、エチレン及びプロピレンのコポリマー、混合物、並びにそのアロイとして使用されてもよい。Ｎ繊維層は、例えば、熱点接着とも呼ばれるカレンダー接着プロセスなどの任意の好適な接着技術によって、他の不織布成分層に接着され得る。
【００８８】
不織布ウェブ中にＮ繊維層を使用することにより、疎水性コーティング又は疎水性溶解添加物で処理された他の不織布ウェブと同じぐらいの高さの低表面張力バリアをもたらし、かつ依然として低坪量（例えば、１５ｇｓｍ未満、又は代替的に１３ｇｓｍ未満）を維持することができる。またＮ繊維層を使用することにより、以前は二重ウェブ層構成を使用していた用途において、単一ウェブ層の構成で使用され得る柔らかい通気性（即ち、空気透過性）のある不織布材料が提供され得る。更に、Ｎ繊維層を使用することにより、ウェブへの親水性界面活性剤の望ましくない移動を少なくとも低減することができるため、結局のところ、関連する吸収性物品に対してより良好な漏れ防止性をもたらすことができる。また、同様の坪量を有するＳＭＳウェブと比較して、Ｎ繊維層を有する不織布ウェブを使用することにより、機械的接着プロセス中に生じる欠陥（即ち、機械的接着部位を通る孔又はピンホール）の数を減少させ得る。Ｎ繊維は、国際公開第２００５／０９５７００号及び米国特許出願第１３／０２４，８４４号に更に説明されている。
【００８９】
材料の内側カフ７１のウェブは、約２ｍｂａｒ超、約３ｍｂａｒ超、約４ｍｂａｒ超の静水頭を有してもよい。材料の外側カフ７４のウェブは、約２００ｍｂａｒ未満、約１００ｍｂａｒ未満、約７５ｍｂａｒ未満、約５０ｍｂａｒ未満、約２５ｍｂａｒ未満、約１５ｍｂａｒ未満の静水頭を有してもよい。
【００９０】
材料の折り畳まれた外側カフのウェブは、１０ｇｓｍ、必要に応じて１３ｇｓｍ、必要に応じて１５ｇｓｍ、必要に応じて１８ｇｓｍ、の坪量を有してもよい。
【００９１】
材料の内側カフ７１のウェブは、約１５％〜約５０％のハンター不透明度による不透明度、必要に応じて約２０％〜約４５％のハンター不透明度を有してもよい。材料の外側カフ７４のウェブは、約４５％〜約７５％のハンター不透明度による不透明度、必要に応じて約５０％〜約７０％のハンター不透明度による不透明度、必要に応じて約７５％未満のハンター不透明度による不透明度、必要に応じて約７０％未満のハンター不透明度による不透明度、を有してもよい。
【００９２】
材料の内側カフ７１のウェブは、約５０ｍ３／ｍ２／分未満の空気透過率、必要に応じて約４５ｍ３／ｍ２／分未満の空気透過率を有してもよい。材料の外側カフ７４のウェブは、約５ｍ３／ｍ２／分超の空気透過率、必要に応じて約１０ｍ３／ｍ２／分超、必要に応じて約１５ｍ３／ｍ２／分超、必要に応じて約２０ｍ３／ｍ２／分超の空気透過率を有してもよい。
【００９３】
材料の内側カフ７１のウェブは、約５５００ｇ／ｍ２／２４ｈｒｓ未満のＷＶＴＲ、必要に応じて約５４００ｇ／ｍ２／２４ｈｒｓ未満のＷＶＴＲを有してもよい。材料の外側カフ７４のウェブは、約４２５０ｇ／ｍ２／２４ｈｒｓ超のＷＶＴＲ、必要に応じて約４５００ｇ／ｍ２／２４ｈｒｓ超のＷＶＴＲ、必要に応じて約５０００ｇ／ｍ２／２４ｈｒｓ超のＷＶＴＲ、必要に応じて約５２５０ｇ／ｍ２／２４ｈｒｓ超のＷＶＴＲ、必要に応じて約５５００ｇ／ｍ２／２４ｈｒｓ超のＷＶＴＲを有してもよい。
【００９４】
ガスケットカフ７０は、実質的に非伸縮性であってもよく、又は伸縮的に延伸可能であって、着用者の脚部に動的に適合してもよい。ガスケットカフ７０は、トップシート２４、バックシート２６、又は吸収性物品２０の形成に使用される任意の他の好適な基材に動作可能に接合される、１つ以上の伸縮部材７７及び７８（伸縮ストランド等）により形成されてもよい。好適なガスケットカフ構造が、米国特許第３，８６０，００３号に更に記載されている。
【００９５】
内側カフ７１は、吸収性物品２０の長手方向の長さ全体にわたってもよい。内側カフ７１は、フラップ及び伸縮部材７８（伸縮性ストランド等）により形成されてもよい。内側カフ７１は、吸収性物品２０を形成する既存の材料又は要素のいずれかから連続した延長部であってもよい。
【００９６】
内側カフ７１は、プラスチックフィルム、並びに天然繊維（例えば、木材又は綿繊維）、合成繊維（例えば、ポリエステル又はポリプロピレン繊維）、又は天然繊維及び合成繊維の組み合わせの織布又は不織布ウェブ等の種々の基材を含んでよい。フラップは、スパンボンドウェブ、メルトブローンウェブ、カードウェブ及びこれらの組み合わせ（例えば、スパンボンド−メルトブローン複合材料及び変異型）等の不織布ウェブを含んでよい。前述した基材の積層体を使用してフラップを形成してもよい。特に好適なフラップは、ＢＢＡ  Ｆｉｂｅｒｗｅｂ社（テネシー州、Ｂｒｅｎｔｗｏｏｄ）から供給元コード３０９２６として入手可能な不織布を含み得る。特に好適な伸縮部材は、Ｉｎｖｉｓｔａ社（カンザス州、Ｗｉｃｈｉｔａ）から供給元コードＴ２６２Ｐとして入手可能である。内側バリアカフ及びかかるバリアカフの好適な構成を有するおむつの更なる説明は、米国特許第４，８０８，１７８号及び同第４，９０９，８０３号に見出すことができる。伸縮部材７８は、内側カフ７１の長手方向長さにわたってもよい。伸縮部材７８は、股領域３７内の内側カフ７１の少なくとも長手方向長さにわたってもよい。伸縮部材７８が、通常の着用中に内側カフ７１が着用者と接触したままであるように十分な伸縮性を示し、これによって内側カフ７１のバリア特性を強化することが望ましい。伸縮部材７８は、対向する長手方向末端部でフラップに接続されてもよい。フラップは、伸縮部材７８を取り囲むようにそれ自身の上に折り畳まれてもよい。
【００９７】
内側カフ７１及び／又は外側カフ７４は、トップシートについて上述したように、ローションで全体若しくは一部が処理されてもよく、又は米国特許出願第１１／０５５，７４３号（２００５年２月１０日出願）に詳述されているように疎水性表面コーティングで完全に若しくは部分的にコーティングされてもよい。本明細書で有用な疎水性表面コーティングは、非水性、無溶媒、多成分シリコーン組成物を含んでいてよい。シリコーン組成物は少なくとも１種類のシリコーンポリマーを含み、かつアミノシリコーンを実質的に含まない。特に好適な疎水性表面コーティングは、供給元コード００１００２４８２０として、Ｄｏｗ  Ｃｏｒｎｉｎｇ社（ミシガン州、Ｓａｌｚｂｕｒｇ）から入手可能である。
【００９８】
本明細書に詳述された吸収性物品は、第１の区域Ａ１、第２の区域Ａ２、第３の区域Ａ３、第４の区域Ａ４及び第５の区域Ａ５を含んでもよい。第１の区域Ａ１から第５の区域Ａ５は、図１から図３Ｂに示し、吸収性物品の右側に示す。長手方向軸線に沿って対称的である吸収性物品では、本物品は、吸収性物品の左側にも同様に対応する第１の区域から第５の区域を有する。本明細書に記載の吸収性物品は、長手方向軸線１００に沿って対称的であり、このため、２つの第１の区域（左側及び右側）、２つの第２の区域（左側及び右側）、２つの第３の区域（左側及び右側）、２つの第４の区域（左側及び右側）、及び２つの第５の区域（左側及び右側）を有する。左側の区域は、具体的に図示していないが、図示した右側の区域Ａ１〜Ａ５のように、物品の左側でのミラー化した位置にある。第１の区域Ａ１は、股領域３７の外側カフ７４上に、具体的には横方向中心線１１０に沿って位置しており、通気性である。また、第１の区域Ａ１の位置は、レッグガスケットシステムの外側カフの折り畳まれた縁部７５の横方向の内側である。例えば、図１〜図３に示す吸収性物品では、第１の区域Ａ１の位置は、長手方向に延びる線上で中心に置かれてもよく、長手方向中心線１００に平行であり、この線は、外側カフの２つの長手方向に延びる伸縮性を中間で均等に分割する。したがって、この長手方向に延びる線と横方向中心線１１０の交点は、第１の区域Ａ１の位置の中心である。図示した実施形態などの４つの伸縮部を有さない製品では、第１の区域Ａ１の中心に対して長手方向に延びる線は、外側カフの折り畳まれた縁部の５ｍｍ内側にある長手方向中心線１００に平行な線であってもよい。
【００９９】
レッグガスケットシステムの外側カフ７４上の第２の腰部領域３８に位置する第２の区域Ａ２及びレッグガスケットシステムの外側カフ７４上の第１の腰部領域３６に位置する第３の区域Ａ３の少なくとも１つも通気性である。第２の区域Ａ２及び第３の区域Ａ３は、第１の区域Ａ１の長手方向に外側である。第２の区域Ａ２及び第３の区域Ａ３及び第１の区域Ａ１は、吸収性物品の長手方向中心線１００から横方向に等距離である。したがって、第１の区域Ａ１の中心に対して長手方向に延びる線は、第２の区域Ａ２及び第３の区域Ａ３の中心を介して延びる。第１の区域Ａ１、第２の区域Ａ２及び第３の区域Ａ３は全て通気性であってもよい。第１の区域Ａ１は、尿が最も集中し得る吸収性物品の股領域から水蒸気を蒸散させることができ、皮膚を健全かつ快適にするために内部湿度を低下させるように、通気性であってもよい。第２の区域Ａ２及び第３の区域Ａ３は、着用者の股関節部から汗を蒸発させて、この領域での無汗症を引き起こす可能性を低下させることができるように、通気性であってもよい。第１の区域Ａ１は、物品内において尿負荷点に近いため、第１の区域Ａ１は、第２の区域Ａ２及び／又は第３の区域Ａ３よりも通気性が高くてもよい。第１の区域Ａ１のＷＶＴＲは、少なくとも約４０００ｇ／ｍ２／２４ｈｒであってもよく、第２の区域Ａ２及び第３の区域Ａ３のＷＶＴＲは、少なくとも約３８００ｇ／ｍ２／２４ｈｒであってもよい。第１の区域Ａ１のＷＶＴＲは、約４０００〜約６０００ｇ／ｍ２／２４ｈｒ（又は４２００〜５０００ｇ／ｍ２／２４ｈｒ）の範囲内であってもよく、第２の区域Ａ２及び第３の区域Ａ３のＷＶＴＲは、約３８００〜約５５００ｇ／ｍ２／２４ｈｒ（又は４０００〜５２００ｇ／ｍ２／２４ｈｒ）の範囲内であってもよい。これらの物品のいずれにおいても、第２の区域Ａ２及び第３の区域Ａ３は、前述のとおりかつ後述の領域において使用される材料の引張強度によって示されるとおり、適用中及び着用状態において物品の横方向への伸長を最小限に抑えるにあたって十分な強度を有してもよい。第１の区域Ａ１は、少なくとも２つの不織布層を含む（例えば、図３に示す第１の区域Ａ１は、外側カフ７４の内面及び外面を含む）。他の意図される吸収性物品は、ＳＭＮＳカフ材料の３つの層など、第１の区域Ａ１において更に多くの材料層を含んでもよい。第２の区域Ａ２及び第３の区域Ａ３は、３つ以上の不織布層を含む（例えば、図３Ａ及び図３Ｂに示した第２の区域Ａ２及び第３の区域Ａ３は、２つの外側カフ７４の不織布層及び不透明度強化パッチ８０を含む）。また、第２の区域Ａ２及び第３の区域Ａ３は、これらの区域において合計４つの不織布層について、バックシート不織布２６を含んでもよい（図３Ａ及び図３Ｂの第２の区域Ａ２及び第３の区域Ａ３にも示す）。他の意図された吸収性物品では、不透明度強化パッチ及び／又はバックシート不織布に加えて、３つのＳＭＮＳカフ材料の層など、第２の区域Ａ２及び第３の区域Ａ３に更に多くの材料層を含んでもよい。
【０１００】
レッグガスケットシステムの外側カフ７４の外側にある第２の腰部領域３８に位置する第１の区域Ａ１及び第４の区域Ａ４の少なくとも１つ及びレッグガスケットシステムの外側カフ７４の外側にある第１の腰部領域３６に位置する第５の区域Ａ５は、物品が着用者によって着用されるとき、通気性のレッグ閉フープの周辺部の一部を最大化するために、通気性であってもよい。第４の区域Ａ４及び第５の区域Ａ５は、第１の区域Ａ１の長手方向に外側にある。第４の区域Ａ４及び第５の区域Ａ５は、第１の区域Ａ１から横方向に外側にある。また、第４の区域Ａ４及び第５の区域Ａ５は、図１に示すとおり、第２の区域Ａ２及び第３の区域Ａ３から横方向に外側にある。第４の区域Ａ４及び第５の区域Ａ５は、長手方向中心線１００に平行である長手方向に延びる線に沿って、両方とも中心として配置されてよい。また、第４の区域Ａ４及び第２の区域Ａ２は両方とも、横方向中心線１１０に平行である横方向に延びる線に沿って中心として配置されてよい（すなわち、第１の線Ｄ−Ｄ）。第２の腰部領域３８において、測定される吸収性物品に別々に耳部を取付けた場合、第１の線Ｄ−Ｄは、別々に取付けられた耳部の長手方向の内側縁部の１０ｍｍ内側に位置している。測定される吸収性物品が別々に取付けられた耳部を有していない場合、第１の線Ｄ−Ｄは、第２の腰縁部１４から５０ｍｍ内側に位置している。第５の区域Ａ５及び第３の区域Ａ３は、両方とも、横方向中心線１１０に平行である横方向に延びる線（すなわち、第２の線Ｅ−Ｅ）に沿って中心として配置される。第１の腰部領域３６において、測定される吸収性物品に別々に耳部を取付けた場合、第２の線Ｅ−Ｅは、別々に取付けられた耳部の長手方向の内側縁部の１０ｍｍ内側に位置している。測定される吸収性物品が別々に取付けられた耳部を有していない場合、第２の線Ｅ−Ｅは、第１の腰縁部１３から５０ｍｍ内側に位置している。第４の区域Ａ４及び第５の区域Ａ５は、物品を閉じて、固定された構成にある場合これらの領域が互いに重なり合う可能性があり、着用者の股関節領域が発汗する傾向にあるため、第１の区域Ａ１より通気性を必要とする場合がある。第２の区域Ａ２及び第３の区域Ａ３と同様に、第４の区域Ａ４及び第５の区域Ａ５は、通気性であってもよく、着用者の股関節部の汗を蒸発させることができ、この領域での無汗症の可能性を低下させる。第４の区域Ａ４及び第５の区域Ａ５は、２つ以上の不織布層を含む（例えば、図３Ａ及び図３Ｂの断面に示すとおり、不透明度強化パッチ８０及びバックシート不織布２６）。他の意図される吸収性物品は、第４の区域Ａ４及び第５の区域Ａ５において更に多くの材料層を含んでもよい。
【０１０１】
第１の区域Ａ１、第２の区域Ａ２、第３の区域Ａ３、第４の区域Ａ４、及び第５の区域Ａ５は、全て通気性であってもよい。第４の区域Ａ４及び第５の区域Ａ５のＷＶＴＲは、少なくとも約４０００ｇ／ｍ２／２４ｈｒであってもよく、約４４００〜約６０００ｇ／ｍ２／２４ｈｒの範囲内であってもよい。第４の区域Ａ４及び第５の区域Ａ５は、所望の接触特性及び強度を得るために１つ以上の不織布層を含んでもよい（例えば、図３Ａ及び図３Ｂに示す第４の区域Ａ４及び第５の区域Ａ５は、不透明度強化パッチ８０及びバックシート外側カバー２６を含む）。
【０１０２】
第１の区域のＡ１、第２の区域のＡ２、第３の区域のＡ３、第４の区域のＡ４、及び第５の区域のＡ５の空気透過率は、皮膚から又は皮膚への十分な空気の移動をもたらし、皮膚に対して水分が過剰となる可能性を最小限に抑えるために、約５ｍ３／ｍ２／分超、又は約７ｍ３／ｍ２／分超であってもよい。これらの区域の空気透過率は、約５〜約７０ｍ３／ｍ２／分の範囲内であってもよい。第１の区域Ａ１の空気透過率は、約５〜約７０ｍ３／ｍ２／分、約７〜約７０ｍ３／ｍ２／分、又は約１０〜約７０ｍ３／ｍ２／分、又は約１５〜約３０ｍ３／ｍ２／分、又は約１５〜約２５ｍ３／ｍ２／分、又は約１５〜約２０ｍ３／ｍ２／分、又は、この中に含まれる任意の数値範囲であってもよい。第２の区域Ａ２及び第３の区域Ａ３の空気透過率は、約５〜約２５ｍ３／ｍ２／分、又は約７〜約２５ｍ３／ｍ２／分、又は約１０〜約２５ｍ３／ｍ２／分、又は約１０〜約２０ｍ３／ｍ２／分、又は約１０〜約１５ｍ３／ｍ２／分、又は約７〜約１５ｍ３／ｍ２／分の範囲又は、この範囲の中に含まれる任意の数値範囲であってもよい。第４の区域Ａ４及び第５の区域Ａ５の空気透過率は、約２０〜約７０ｍ３／ｍ２／分、又は約２５〜約７０ｍ３／ｍ２／分、又は約３０〜約５０ｍ３／ｍ２／分、又は約３５〜約４５ｍ３／ｍ２／分の範囲又は、この範囲の中に含まれる任意の数値範囲であってもよい。
【０１０３】
第１の区域Ａ１、第２の区域Ａ２、第３の区域Ａ３、第４の区域Ａ４、及び第５の区域Ａ５は、物品を着用する際、着用者の下にある皮膚が見えないようにする、又は着用者の下にある皮膚を最小限しか見えないようにするために、十分に高い不透明度を有する。これらの区域の不透明度は、約５５を超える場合がある。これらの区域の不透明度は、約５５〜約１００、又は約６０〜約９０の範囲内であってもよい。第１の区域Ａ１の不透明度は、より快適な外観を呈するために、他の領域（例えば、Ａ２、Ａ３、Ａ４及び／又はＡ５）の少なくとも１つよりも低くてもよい。第１の区域Ａ１の不透明度は、約６０〜約７０、又は約６２〜約６８、又は約６５であってもよい。第２の区域Ａ２及び第３の区域の不透明度は、約７０〜約１００、又は約７５〜約９０、又は約７８〜約８５、又は約８０であってもよい。第４の区域Ａ４及び第５の区域Ａ５の不透明度は、約５５〜約７０、又は約６０〜約６５、又は約６１であってもよい。したがって、第４の区域Ａ４及び第５の区域Ａ５の不透明度は、第１の区域Ａ１の不透明度より低くてもよく、第２の区域Ａ２及び第３の区域Ａ３の不透明度より低くてもよい。
【０１０４】
第１の区域Ａ１、第２の区域Ａ２、第３の区域Ａ３、第４の区域Ａ４、及び第５の区域Ａ５は、着用者の衣類上での又は環境への本物品のこれらの部分を介する尿又は便の不注意による漏れを防止するために、それぞれ、水頭圧（一次降下）約２０ｍｂａｒ超、及び低表面張力裏抜け時間約１０秒超を有してもよい。
【０１０５】
［実施例］
【表１】
2018511385.tif 000003
＊結果はある標準偏差の平均±１として表示されている。
＊プロトタイプのＮ繊維は、Ｐｏｌｙｍｅｒ  Ｇｒｏｕｐ社から入手可能な１３ｇｓｍのＳＭＮＳである。
＊プロトタイプのＳＭＳは、Ｆｉｂｅｒｔｅｘ社からＣｏｍｆｏｒｔ  Ｌｉｎｅで入手可能な１５ｇｓｍのＳＭＳ（スパンボンド−メルトブローン−スパンボンド）不織布である。
【０１０６】
【表２】
2018511385.tif 000004
＊表２にまとめるデータ生成用に試験を行ったプロトタイプ吸収性物品は、図１〜図３に示すような構造を有する吸収性物品とした。レッグガスケット材料は１５ｇｓｍ  ＳＭＮＳ不織布であり、Ｐｏｌｙｍｅｒ  Ｇｒｏｕｐ  Ｉｎｃ．／Ｂｅｒｒｙ  Ｐｌａｓｔｉｃｓ社（スペイン国）から入手可能である。不透明度強化パッチは、２３ｇｓｍ  ＳＭＭＳであり、Ｇｕｅｌｓａｎ社（トルコ国）から入手可能である。バックシート不織布は２２ｇｓｍキルトＨＥＳＢ外側カバーであり、ＦＱＮ社（ペンシルバニア州、Ｈａｚｌｅｔｏｎ）から入手可能である。バックシートフィルムは１６ｇｓｍ  ＧＯＣ２ポリであり、Ｃｌｏｐａｙ社（テネシー州、Ｎａｓｈｖｉｌｌｅ）から入手可能である。トップシートは１２ｇｓｍ界面活性剤処理済みＳＳＳであり、Ｐｏｌｙｍｅｒ  Ｇｒｏｕｐ  Ｉｎｃ．／Ｂｅｒｒｙ  Ｐｌａｓｔｉｃｓ社（ノースカロライナ州、Ｍｏｏｒｅｓｖｉｌｌｅ）から入手可能である。
１ＴｅｘＴｅｓｔ  ＦＸ３３００、ＳＮ  ６４４．０８．００、１．４７ｃｍ２テストヘッド、１２５Ｐａ圧力降下、ＡＳＴＭ  Ｄ  ７３７
２ＴｅｘＴｅｓｔ  ＦＸ３０００、ＳＮ  ３３７．０３．９９、１．４７ｃｍ２テストヘッド、蒸留水、３０ｍｂａｒ未満では３ｍｂａｒ／分、３０ｍｂａｒ超では１０ｍｂａｒ／分、Ｅｄａｎａ１２０．２
３ＨｕｎｔｅｒＬａｂ  Ｌａｂｓｃａｎ  ＸＥ、ＳＮ  ＬＸ１６１７６、Ｙ不透明度手順、１。８ｃｍ（０．７インチ）ポート／１．３ｃｍ（０．５インチ）視野域、０°照明／４５°検出、１０°観測者、ＸＹＺカラースケール、Ｄ６５光源／Ｄ６５  Ｍ光源
４ＷＶＴＲ湿潤カップ、カップは０．０３Ｌ（８ドラム）バイアル（高さ９５ｍｍ）であり、開口部１７．８ｍｍを有する。空隙はバイアルの上唇部から２５ｍｍである。Ｌｉｎｄｂｅｒｇ  Ｂｌｕｅ  Ｍオーブンにて３８℃で２４時間。改訂ＡＳＴＭ  Ｅ  ９６。
５Ｌｉｓｔｅｒ  ＤＣ裏抜け試験機、ＳＮ  Ｌ５７２５、プレートは１０ｍｍ開口部を有する。０．０４２％  Ｔｒｉｔｏｎ−Ｘ−１００（ＳＴ＝３２ｍＮ／ｍ）試験液体、パッドは５プライのＡｈｌｓｔｒｏｍ等級９８９、改訂ＷＳＰ  ７０．３
【０１０７】
【表３】
2018511385.tif 000005
＊１５ｇｓｍ  ＳＭＮＳ不織布は、Ｐｏｌｙｍｅｒ  Ｇｒｏｕｐ  Ｉｎｃ．／Ｂｅｒｒｙ  Ｐｌａｓｔｉｃｓ社（スペイン国）より入手可能である。不透明度強化パッチは２３ｇｓｍ  ＳＭＭＳであり、Ｇｕｅｌｓａｎ社（トルコ国）から入手可能である。バックシート不織布は、２２ｇｓｍキルトＨＥＳＢ外側カバーであり、ＦＱＮ社（ペンシルバニア州、Ｈａｚｌｅｔｏｎ）から入手可能である。バックシートフィルムは１６ｇｓｍ  ＧＯＣ２ポリであり、Ｃｌｏｐａｙ社（テネシー州、Ｎａｓｈｖｉｌｌｅ）より入手可能である。トップシートは１２ｇｓｍ界面活性剤処理済みＳＳＳであり、Ｐｏｌｙｍｅｒ  Ｇｒｏｕｐ  Ｉｎｃ．／Ｂｅｒｒｙ  Ｐｌａｓｔｉｃｓ社（ノースカロライナ州、Ｍｏｏｒｅｓｖｉｌｌｅ）から入手可能である。
１ＴｅｘＴｅｓｔ  ＦＸ３３００、ＳＮ  ６４４．０８．００、１．４７ｃｍ２テストヘッド、１２５Ｐａ圧力降下、ＡＳＴＭ  Ｄ  ７３７
２ＴｅｘＴｅｓｔ  ＦＸ３０００、ＳＮ  ３３７．０３．９９、１．４７ｃｍ２テストヘッド、蒸留水、３０ｍｂａｒ未満では３ｍｂａｒ／分、３０ｍｂａｒ超では１０ｍｂａｒ／分、Ｅｄａｎａ１２０．２
３ＨｕｎｔｅｒＬａｂ  Ｌａｂｓｃａｎ  ＸＥ、ＳＮ  ＬＸ１６１７６、Ｙ不透明度手順、１．８ｃｍ（０．７インチ）ポート／１．３ｃｍ（０．５インチ）視野域、０°照明／４５°検出、１０°観測者、ＸＹＺカラースケール、Ｄ６５光源／Ｄ６５  Ｍ光源
４ＷＶＴＲ湿潤カップ、カップは０．０３Ｌ（８ドラム）バイアル（高さ９５ｍｍ）であり、開口部１７．８ｍｍを有する。空隙はバイアルの上唇部から２５ｍｍである。Ｌｉｎｄｂｅｒｇ  Ｂｌｕｅ  Ｍオーブンにて３８℃で２４時間。改訂ＡＳＴＭ  Ｅ  ９６。
５Ｌｉｓｔｅｒ  ＤＣ裏抜け試験機、ＳＮ  Ｌ５７２５、プレートは１０ｍｍ開口部を有する。０．０４２％  Ｔｒｉｔｏｎ−Ｘ−１００（ＳＴ＝３２ｍＮ／ｍ）試験液体、パッドは５プライのＡｈｌｓｔｒｏｍ等級９８９、改訂ＷＳＰ  ７０．３
【０１０８】
【表４】
2018511385.tif 000006
６ＭＴＳ  Ｉｎｓｉｇｈｔ＿１ＥＬ、ＳＮ  １０３０３７１８Ｃ、１００Ｎロードセルを備えたシステム＃４０２８４−Ｃ（モデル５６９３２６−０５、ＳＮ  ２１５９２１）；ゲージ長５ｃｍ（２インチ）、幅２．５４ｃｍ（１インチ）、１００ｍｍ／分、１００Ｈｚ  ＤＡＱ、破断点検出１０％
【０１０９】
【表５】
2018511385.tif 000007
１ＴｅｘＴｅｓｔ  ＦＸ３３００、ＳＮ  ６４４．０８．００、１．４７ｃｍ２テストヘッド、１２５Ｐａ圧力降下、ＡＳＴＭ  Ｄ  ７３７
２ＴｅｘＴｅｓｔ  ＦＸ３０００、ＳＮ  ３３７．０３．９９、１．４７ｃｍ２テストヘッド、蒸留水、３０ｍｂａｒ未満では３ｍｂａｒ／分、３０ｍｂａｒ超では１０ｍｂａｒ／分、Ｅｄａｎａ１２０．２
３ＨｕｎｔｅｒＬａｂ  Ｌａｂｓｃａｎ  ＸＥ、ＳＮ  ＬＸ１６１７６、Ｙ不透明度手順、１．８ｃｍ（０．７インチ）ポート／１．３ｃｍ（０．５インチ）視野域、０°照明／４５°検出、１０°観測者、ＸＹＺカラースケール、Ｄ６５光源／Ｄ６５  Ｍ光源
４ＷＶＴＲ湿潤カップ、カップは０．０３Ｌ（８ドラム）バイアル（高さ９５ｍｍ）であり、開口部１７．８ｍｍを有する。空隙はバイアルの上唇部から２５ｍｍである。Ｌｉｎｄｂｅｒｇ  Ｂｌｕｅ  Ｍオーブンにて３８℃で２４時間。改訂ＡＳＴＭ  Ｅ  ９６。
５Ｌｉｓｔｅｒ  ＤＣ裏抜け試験機、ＳＮ  Ｌ５７２５、プレートは１０ｍｍ開口部を有する。０．０４２％  Ｔｒｉｔｏｎ−Ｘ−１００（ＳＴ＝３２ｍＮ／ｍ）試験液体、パッドは５プライのＡｈｌｓｔｒｏｍ等級９８９、改訂ＷＳＰ  ７０．３
【０１１０】
【表６】
2018511385.tif 000008
１ＴｅｘＴｅｓｔ  ＦＸ３３００、ＳＮ  ６４４．０８．００、１．４７ｃｍ２テストヘッド、１２５Ｐａ圧力降下、ＡＳＴＭ  Ｄ  ７３７
２ＴｅｘＴｅｓｔ  ＦＸ３０００、ＳＮ  ３３７．０３．９９、１．４７ｃｍ２テストヘッド、蒸留水、３０ｍｂａｒ未満では３ｍｂａｒ／分、３０ｍｂａｒ超では１０ｍｂａｒ／分、Ｅｄａｎａ１２０．２
３ＨｕｎｔｅｒＬａｂ  Ｌａｂｓｃａｎ  ＸＥ、ＳＮ  ＬＸ１６１７６、Ｙ不透明度手順、１．８ｃｍ（０．７インチ）ポート／１．３ｃｍ（０．５インチ）視野域、０°照明／４５°検出、１０°観測者、ＸＹＺカラースケール、Ｄ６５光源／Ｄ６５  Ｍ光源
４ＷＶＴＲ湿潤カップ、カップは０．０３Ｌ（８ドラム）バイアル（高さ９５ｍｍ）であり、開口部１７．８ｍｍを有する。空隙はバイアルの上唇部から２５ｍｍである。Ｌｉｎｄｂｅｒｇ  Ｂｌｕｅ  Ｍオーブンにて３８℃で２４時間。改訂ＡＳＴＭ  Ｅ  ９６。
５Ｌｉｓｔｅｒ  ＤＣ裏抜け試験機、ＳＮ  Ｌ５７２５、プレートは１０ｍｍ開口部を有する。０．０４２％  Ｔｒｉｔｏｎ−Ｘ−１００（ＳＴ＝３２ｍＮ／ｍ）試験液体、パッドは５プライのＡｈｌｓｔｒｏｍ等級９８９、改訂ＷＳＰ  ７０．３
【０１１１】
【表７】
2018511385.tif 000009
１ＴｅｘＴｅｓｔ  ＦＸ３３００、ＳＮ  ６４４．０８．００、１．４７ｃｍ２テストヘッド、１２５Ｐａ圧力降下、ＡＳＴＭ  Ｄ  ７３７
２ＴｅｘＴｅｓｔ  ＦＸ３０００、ＳＮ  ３３７．０３．９９、１．４７ｃｍ２テストヘッド、蒸留水、３０ｍｂａｒ未満では３ｍｂａｒ／分、３０ｍｂａｒ超では１０ｍｂａｒ／分、Ｅｄａｎａ１２０．２
３ＨｕｎｔｅｒＬａｂ  Ｌａｂｓｃａｎ  ＸＥ、ＳＮ  ＬＸ１６１７６、Ｙ不透明度手順、１．８ｃｍ（０．７インチ）ポート／１．３ｃｍ（０．５インチ）視野域、０°照明／４５°検出、１０°観察者、ＸＹＺカラースケール、Ｄ６５光源／Ｄ６５  Ｍ光源
４ＷＶＴＲ湿潤カップ、カップは０．０３Ｌ（８ドラム）バイアル（高さ９５ｍｍ）であり、開口部１７．８ｍｍを有する。空隙はバイアルの上唇部から２５ｍｍである。Ｌｉｎｄｂｅｒｇ  Ｂｌｕｅ  Ｍオーブンにて３８℃で２４時間。改訂ＡＳＴＭ  Ｅ  ９６。
５Ｌｉｓｔｅｒ  ＤＣ裏抜け試験機、ＳＮ  Ｌ５７２５、プレートは１０ｍｍ開口部を有する。０．０４２％  Ｔｒｉｔｏｎ−Ｘ−１００（ＳＴ＝３２ｍＮ／ｍ）試験液体、パッドは５プライのＡｈｌｓｔｒｏｍ等級９８９、改訂ＷＳＰ  ７０．３
【０１１２】
試験方法：
不透明度の方法
不透明度は、コンピュータインタフェースを備える、０°照明／４５°検出、環状の光学的形状の分光光度計、例えばＨｕｎｔｅｒＬａｂ  ＬａｂＳｃａｎ  ＸＥ  ｒｕｎｎｉｎｇ  Ｕｎｉｖｅｒｓａｌ  Ｓｏｆｔｗａｒｅ（Ｈｕｎｔｅｒ  Ａｓｓｏｃｉａｔｅｓ  Ｌａｂｏｒａｔｏｒｙ社（バージニア州、Ｒｅｓｔｏｎ）から入手可能）又は同等の機器を使用して測定される。機器校正及び測定は、販売元によって提供されている標準白黒校正プレートを使用して行う。全ての試験は、２３±２℃、相対湿度５０±２％に維持された室内で行う。
【０１１３】
標準に設定されたＵＶフィルタと共に、分光光度計は、ＸＹＺカラースケール、Ｄ６５光源、１０°標準観測者に対して構成される。計器は、製造元の手順に従ってポートサイズ１．８ｃｍ（０．７インチ）、１．３（０．５インチ）の視野域を使用して標準化する。校正後、ソフトウェアはＹ不透明度手順に設定され、これは測定中に白又黒のいずれかの校正タイルで試料を覆うようにオペレータを促す。
【０１１４】
試験前に、２３℃±２℃及び５０％±２％の相対湿度で２時間、物品を予め調整する。試験片を得るため、物品を作業台上で身体に面する表面を上にして平らに引き伸ばし、物品の長手方向の全長を測定する。内側及び外側カフ上の試験部位は、物品の長手方向の中間点で選択する。鋏を使用して、試験片を６０ｍｍの長さ×（左のカフの長手方向の中間点において、中心に置かれた）内側カフの高さ全体、に切断する。次に、第２の試験片（今回は外側カフから）を、６０ｍｍの長さ×（左の外側カフの長手方向の中間点において、中心に置かれた）外側カフの高さ全体に切断する。同様の方式で内側及び外側カフの試験片を物品の右側上のカフから用意する。
【０１１５】
試験片を測定ポートに被せて置く。試験片は、カフの内側を向いた表面に対応する表面がポートの方を向いた状態で、ポートを完全に覆っている必要がある。試験片がその長手方向にピンと張った状態となるまで、緩やかに延伸させて、カフが、ポートのプレートに対して平らに置かれるようにする。接着テープを貼って、カフが試験のための延伸状態でポートプレートに対して固定されるようにする。テープは測定ポートのいずれの部分も覆ってはならない。次いで、試験片を、白い標準プレートで覆う。表示を読み取り、次いで白いタイルを取り除き、試験片を動かさないで、黒い標準タイルと交換する。２回目の表示を読み取り、不透明度を以下のように計算する：
不透明度＝（Ｙ値（黒色裏材）／Ｙ値（白色裏材））×１００
５つの同じ物品からの試験片（１０の内側カフ（左側から５つ、右側から５つ）並びに１０の外側カフ（左側から５つ、右側から５つ））を分析し、それらの不透明度を記録する。内側カフと外側カフの平均不透明度をそれぞれ算出し、それぞれ０．０１％単位で報告する。
【０１１６】
水蒸気透過度法
水蒸気透過度（ＷＶＴＲ）を湿潤カップ手法を使用して測定する。円筒形のカップに水を充填し、水の表面と、カップの上方開口部の上で封止された試料との間で一定のヘッドスペースを維持する。組み立てたカップをオーブンで特定時間加熱した後、蒸気の損失を重力測定的に測定する。全ての試験は、２３℃±２℃及び相対湿度５０％±２％で維持された室内で行う。
【０１１７】
試験前に、２３℃±２℃、及び５０％±２％の相対湿度で２時間、物品を予め調整する。物品を身体に面する表面を上にして作業台に平らに伸ばし、物品の合計長手方向長さを測定する。内側及び外側カフ上の試験部位は、物品の長手方向の中間点で選択する。鋏を使用して、試験片を６０ｍｍの長さ×（左のカフの長手方向の中間点において、中心に置かれた）内側カフの高さ全体、に切断する。次に、第２の試験片（今回は外側カフから）を、６０ｍｍの長さ×（左の外側カフの長手方向の中間点において、中心に置かれた）外側カフの高さ全体に切断する。同様の方式で物品の右側上のカフから内側及び外側カフの試験片を用意する。吸収性物品の特定位置（例えばＡ１、Ａ２、Ａ３、Ａ４及びＡ５）でＷＶＴＲを測定するために、吸収性物品の全ての層が試料中の試験を行う特定の位置に必ず存在するように、試料を物品から切り取る必要がある。
【０１１８】
ＷＶＴＲ試験バイアル瓶として、高さ９５ｍｍ、開口部が１７．８ｍｍの内径を有するガラス製の、直線的な壁部を有する円筒バイアル瓶を使用する。試験用バイアル瓶はそれぞれ、バイアル瓶の開口部の上方縁部から２５．０ｍｍ±０．１ｍｍのレベルまで、正確に蒸留水を充填する。カフの内側に面する表面を下向きにしてバイアル瓶の開口部の上に試料を配置する。試料を静かに引張り、伸縮性バンドを用いてバイアル瓶の円周部の周囲に固定する。バイアル瓶の円周部の周囲に、テフロンテープを巻くことによって、試料を更に封止する。好ましいテフロンテープは、ＭｃＭａｓｔｅｒ  Ｃａｒｒ社から入手可能なスレッドシーラントテープ０．６４ｃｍ（０．２５インチ）幅（カタログ番号４５９１Ｋ１１）又は等価物である。テフロンテープをバイアル瓶の上方縁部に適用するが、バイアル瓶の開口部のいずれの部分も覆ってはならない。バイアル瓶のアセンブリ（バイアル瓶＋試料＋封止テープ）を０．０００１グラム単位で計量する。これが開始質量である。
【０１１９】
バイアル瓶のアセンブリを上向きにしてメカニカル対流式オーブン内（例えば、ＴｈｅｒｍｏＳｃｉｅｎｔｉｆｉｃ社から入手可能なＬｉｎｄｂｅｒｇ／ＢｌｕｅＭオーブン又は等価物）に配置し、２４時間、３８±１℃に維持し、バイアル瓶内の水と試料が接触しないよう注意する。２４時間が経過した後、バイアル瓶のアセンブリをオーブンから取り出し、室温に戻す。各バイアル瓶のアセンブリの質量を０．０００１グラム単位まで測定する。これが最終質量である。
【０１２０】
以下の式を使用して、ＷＶＴＲを計算する：
ＷＶＴＲ（ｇ／ｍ２／２４ｈｒｓ）＝（［開始質量（ｇ）−最終質量（ｇ）］／表面積（ｍ２））／２４ｈｒｓ
【０１２１】
５つの同じ物品からの試料（１０の内側カフ（左側から５、右側から５）並びに１０の外側カフ（左側から５、右側から５））、及び記録されたそれらのＷＶＴＲ、を解析する。内側カフ及び外側カフの平均ＷＶＴＲをそれぞれ１ｇ／ｍ２／２４ｈｒｓ単位で記録する。
【０１２２】
空気透過率試験
特注の１ｃｍ２の円形アパーチャ（Ａｄｖａｎｃｅｄ  Ｔｅｓｔｉｎｇ  Ｉｎｓｔｒｕｍｅｎｔｓ社から入手可能）を備える、ＴｅｘＴｅｓｔ  ＦＸ３３００  Ａｉｒ  Ｐｅｒｍｅａｂｉｌｉｔｙ  Ｔｅｓｔｅｒ（Ａｄｖａｎｃｅｄ  Ｔｅｓｔｉｎｇ  Ｉｎｓｔｒｕｍｅｎｔｓ社（サウスカロライナ州、Ｇｒｅｅｒ）から入手可能）又は同等の機器を使用して空気透過率の試験を行う。製造元の手順に従って機器を標準化する。全ての試験は、２３℃±２℃及び相対湿度５０％±２％で維持された室内で行う。
【０１２３】
試験前に、２３℃±２℃及び５０％±２％の相対湿度で、２時間にわたって、物品を予め調整する。試験片を得るため、物品を作業台上で身体に面する表面を上にして平らに引き伸ばし、物品の長手方向の全長を測定する。内側及び外側カフ上の試験部位は、物品の長手方向の中間点で選択する。鋏を使用して、試験片を６０ｍｍの長さ×（左のカフの長手方向の中間点において、中心に置かれた）内側カフの高さ全体、に切断する。次に、第２の試験片（今回は外側カフから）を、６０ｍｍの長さ×（左の外側カフの長手方向の中間点において、中心に置かれた）外側カフの高さ全体に切断する。同様の方式で内側及び外側カフの試験片を物品の右側上のカフから用意する。
【０１２４】
測定ポートに被さるように試験片を中心に置く。試験片は、カフの内側を向いた表面に対応する表面がポートの方を向いた状態で、ポートを完全に覆っている必要がある。試験片がピンと張った状態となるまで、その長手方向に緩やかに延伸させて、カフが、ポートをまたいで平らに置かれるようにする。接着テープを貼って、カフが試験のための延伸状態で、ポートをまたいで固定されるようにする。テープは測定ポートのいずれの部分も覆ってはならない。空気が試験片を通過できるように、試験圧力を設定する。不織布カフに関して、圧力は典型的に１２５Ｐａに設定し、フィルムを収容するカフに関しては典型的に２１２５Ｐａを使用する。試料リングを閉じて、測定値が機器の許容限度内にあるということを示す緑色を、範囲表示器が示すまで、測定範囲を調整する。空気透過率は０．１ｍ３／ｍ２／分単位で記録する。
【０１２５】
静水頭の試験
ＴｅｘＴｅｓｔ  ＦＸ３０００  Ｈｙｄｒｏｓｔａｔｉｃ  Ｈｅａｄ  Ｔｅｓｔｅｒ（Ａｄｖａｎｃｅｄ  Ｔｅｓｔｉｎｇ  Ｉｎｓｔｒｕｍｅｎｔｓ社（サウスカロライナ州、Ｇｒｅｅｒ）から入手可能）に、特注の１．５ｃｍ２の円形測定ポート（同様に、Ａｄｖａｎｃｅｄ  Ｔｅｓｔｉｎｇ  Ｉｎｓｔｒｕｍｅｎｔｓ社から入手可能）を備え付けたものを使用して静水頭の試験を行う。測定ポートの周囲のガスケットと同じ寸法の２つの環状スリーブリングを、微細不織布用の標準的な保護スリーブ（Ａｄｖａｎｃｅｄ  Ｔｅｓｔｉｎｇ  Ｉｎｓｔｒｕｍｅｎｔｓ社から入手可能な部品、ＦＸ３０００−ＮＷＨ）から切り出す。続いて、クランプの際に試験片を保護するために、これらのスリーブリングを、前記ＴｅｘＴｅｓｔ製機器の、上側ガスケット及び下側ガスケットの試料対向面に、両面接着テープを用いて貼り付ける。製造元の手順に従って機器を標準化する。全ての試験は、約２３℃±２℃及び相対湿度約５０％±２％で維持された室内で行う。
【０１２６】
約２３℃±２℃及び約５０％±２％の相対湿度で、試験前に２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中間点で選択する。鋏を使用して、試験片を７０ｍｍの長さ×（左のカフの長手方向の中間点において、中心に置かれた）内側カフの高さ全体に切断する。次に、第２の試験片（今回は外側カフから）を、７０ｍｍの長さ×（左の外側カフの長手方向の中間点において、中心に置かれた）外側カフの高さ全体に切断する。同様の方式で内側及び外側カフの試験片を物品の右側のカフから用意する。
【０１２７】
上側のテストヘッドのポートに被さるように試験片を中心に置く。試験片は、カフの外側を向いた表面に対応する表面がポートの方を向いた状態で、ポートを完全に覆っている必要がある（即ち、内側を向いた表面は水に面することになる）。試験片がその長手方向にピンと張った状態となるまで、緩やかに延伸させて、カフが、上側の試験プレートに対して平らに置かれるようにする。接着テープを貼って、カフが試験のための延伸状態で試験プレートに対して固定されるようにする。テープは測定ポートのいずれの部分も覆ってはならない。
【０１２８】
ＴｅｘＴｅｓｔのシリンジに蒸留水を充填し、下側の試験プレートの測定ポートを通して蒸留水を加える。水位が下側ガスケットの頂部までくるように、充填を行う必要がある。上側のテストヘッドを機器の上に載置し、テストヘッドを下げて試験片の周囲を封止する。試験速度は、５０ｍｂａｒ以下の静水頭を有する試料に関しては、３ｍｂａｒ／分、５０ｍｂａｒより高い静水頭を有する試料に関しては６０ｍｂａｒ／分に設定する。試験を開始し、試験片表面を観察して、表面を透過する水滴を検出する。試験片の表面に１つの滴が検出されたとき、又は圧力が２００ｍｂａｒを超えたときに試験を終了する。圧力は０．５ｍｂａｒ単位まで記録するか、又は透過が検出されなかった場合は＞２００ｍｂａｒとして記録する。
【０１２９】
合計５つの同じ物品（１０個の内側カフ試験片、及び１０個の外側カフ試験片）を分析し、それらの静水頭値を記録する。内側カフ及び外側カフの平均静水頭を計算及び記録し、それぞれ０．１ｍｂａｒ単位で記録する。
【０１３０】
低表面張力流体裏抜け時間試験
低表面張力流体裏抜け時間試験を用いて、規定の速度で排出される低表面張力流体の所定量が、基準吸収性パッド上に設置されるウェブの試料（及び他の同等のバリア材料）に完全に浸透する時間を決定する。
【０１３１】
この試験に関して、基準吸収性パッドは、５プライのＡｈｌｓｔｒｏｍ等級９８９濾過紙（１０ｃｍ×１０ｃｍ）であり、試験流体は３２ｍＮ／ｍ低表面張力流体である。
【０１３２】
この試験は、液状の排便など、低表面張力流体に対するバリアを提供することを意図されるウェブの、低表面張力流体裏抜け性能（秒）を特徴付けるように設計されている。
【０１３３】
Ｌｉｓｔｅｒ裏抜け試験機：この試験機は、ＥＤＡＮＡ  ＥＲＴ１５３．０−０２の６章に記載されるようなものであり、以下の例外を有する：裏抜けプレートは、１０．０ｍｍ長さ及び１．２ｍｍスロット幅を有する細いスロットを備え、６０°の角度の付いた３つのスロットの星型開口部を有する。この装置は、Ｌｅｎｚｉｎｇ  Ｉｎｓｔｒｕｍｅｎｔｓ社（オーストリア国）及びＷ．Ｆｒｉｔｚ  Ｍｅｔｚｇｅｒ社（アメリカ合衆国）から入手可能である。１００秒後にタイムアウトしないように、単位が設定される必要がある。
【０１３４】
基準吸収性パッド：１０ｃｍ×１０ｃｍ面積において、Ａｈｌｓｔｒｏｍ等級９８９濾過紙が使用される。平均裏抜け時間は、３２ｍＮ／ｍ試験流体を用いて、
ウェブ試料なしで、５プライの濾紙において３．３＋０．５秒である。濾紙は、Ｅｍｐｉｒｉｃａｌ  Ｍａｎｕｆａｃｔｕｒｉｎｇ  Ｃｏｍｐａｎｙ社（ＥＭＣ）７６１６  Ｒｅｉｎｈｏｌｄ  Ｄｒｉｖｅ  Ｃｉｎｃｉｎｎａｔｉ，ＯＨ  ４５２３７から購入することができる。
【０１３５】
試験流体：３２ｍＮ／ｍ表面張力流体は、蒸留水及び０．４２＋／−０．００１ｇ／Ｌ  Ｔｒｉｔｏｎ−Ｘ  １００で調製される。全ての流体を周囲条件で保つ。
【０１３６】
電極−すすぎ液：０．９％塩化ナトリウム（ＣＡＳ  ７６４７−１４−５）水溶液（９ｇ  ＮａＣｌ／１Ｌ蒸留水）が使用される。
【０１３７】
試験手順
−全ての試験は、約２３℃±２℃及び相対湿度約５０％±２％で維持された室内で行う。Ａｈｌｓｔｒｏｍの濾紙及び試験物品をこの制御された環境で２４時間と２時間、試験前に調整する。
−表面張力が３２ｍＮ／ｍ＋／−１ｍＮ／ｍであることを確認する。さもなければ、試験流体を再度作製する。
−０．９％のＮａＣｌ水性電極すすぎ液体を調製する。
−以下のように５プライを３２ｍＮ／ｍ試験流体で試験することによって、基準吸収性パッドの裏抜け目標（３．３＋／−０．５秒）が満たされていることを確認する。
−裏抜け試験機のベースプレート上に５プライの基準吸収性パッドをきれいに積み重ねる。
−裏抜けプレートを５プライの上に設置し、プレートの中心が紙の中心上にあることを確認する。分配漏斗の下でこのアセンブリを中心に合わせる。
−裏抜け試験機の上部のアセンブリが予め設定された停止点まで下げられていることを確認する。
−電極がタイマーに接続されていることを確認する。
−裏抜け試験機を「オン」にし、タイマーをゼロにする。
−５ｍＬの固定容積ピペット及び先端部を用いて、５ｍＬの３２ｍＮ／ｍ試験流体を漏斗に分配する。
−（例えば、ユニットのボタンを押すことによって）漏斗のマグネチックバルブを開放して、５ｍＬの試験流体を排出する。流体の最初の流れが電気回路を完成させ、タイマーを開始させる。流体が基準吸収性パッド内に浸透し、裏抜けプレートの電極の水準を下回ると、タイマーが停止する。
−電子タイマーに示される時間を記録する。
−試験アセンブリを除去し、使用した基準吸収性パッドを廃棄する。電極を０．９％のＮａＣｌ水溶液ですすいで、それらを次の試験のために「下塗り」する。下降部が電極、及び裏抜けプレートの裏の上に至るまで乾燥させ、加えて、分配出口開口部、及び濾紙がその上に置かれる底部プレート又はテーブル表面を拭く。
−基準吸収性パッドの裏抜け目標が満たされていることを確認するために、この試験手順を最低３回繰り返す。この目標が満たされない場合、この基準吸収性パッドは規格外であり得、使用されるべきではない。
−基準吸収性パッド性能が検証された後に、不織布ウェブ試料を試験し得る。
−約２３℃±２℃及び約５０％±２％の相対湿度で、試験前に２時間にわたって、試験物品を事前に調整する。試験片を得るため、物品を作業台上で身体に面する表面を上にして平らに引き伸ばし、物品の長手方向の全長を測定する。内側及び外側カフ上の試験部位は、物品の長手方向の中間点で選択する。鋏を使用して、試験片を７０ｍｍの長さ×（左のカフの長手方向の中間点において、中心に置かれた）内側カフの高さ全体に切断する。次に、第２の試験片（今回は外側カフから）を、７０ｍｍの長さ×（左の外側カフの長手方向の中間点において、中心に置かれた）外側カフの高さ全体に切断する。同様の方式で内側及び外側カフの試験片を物品の右側のカフから用意する。
−裏抜けプレートのポートを覆って、試験片を中心に置く。試験片は、ポートに対して向けられたカフの身体に面する表面に対応するその表面で、ポートを完全に覆わなくてはならない。試験片がその長手方向にピンと張った状態となるまで、緩やかに延伸させて、カフが、上側の試験プレートに対して平らに置かれるようにする。接着テープを貼って、カフが試験のための延伸状態で試験プレートに対して固定されるようにする。テープは測定ポートのいずれの部分も覆ってはならない。
−裏抜け試験機の上部のアセンブリが予め設定された停止点まで下げられていることを確認する。
−電極がタイマーに接続されていることを確認する。裏抜け試験機を「オン」にし、タイマーをゼロにする。
−上述のように起動する。
−３つの物品についてこの手順を繰り返す。６つ値の平均値をとり、３２ｍＮ／ｍ低表面張力裏抜け時間として０．１秒単位まで記録する。
【０１３８】
パッケージング：
本発明の吸収性物品は、パッケージに収容されてもよい。パッケージは、高分子フィルム及び／又は他の材料を含んでよい。吸収性物品の特性に関するグラフィック及び／又は表示部は、パッケージの外側部分に形成され、印刷され、位置付けられ、及び／又は配置されてよい。それぞれのパッケージは、複数の吸収性物品を含んでよい。吸収性物品は、パッケージの寸法を縮小するように圧縮下でパッキングされて、なお、１パッケージ当たり妥当な量の吸収性物品を提供することができる。吸収性物品を圧縮下でパッケージ化することにより、介護者は容易にパッケージを扱い、保管することができると同時に、パッケージのサイズによる流通コストの削減を製造者にもたらし得る。
【０１３９】
したがって、本明細書の吸収性物品のパッケージは、本明細書に記載のバッグ内スタック高さテストによるバッグ内スタック高さが、約１１０ｍｍ未満、約１０５ｍｍ未満、約１００ｍｍ未満、約９５ｍｍ未満、約９０ｍｍ未満、約８５ｍｍ未満、約８０ｍｍ未満、約７８ｍｍ未満、約７６ｍｍ未満、約７４ｍｍ未満、約７２ｍｍ未満、約７０ｍｍ未満であってもよく、具体的には、当該範囲内の特定の範囲及び全体で０．１ｍｍ刻みの全ての数値を含む。あるいは、本明細書の吸収性物品のパッケージは、本明細書に記載のバッグ内スタック高さテストによるバッグ内スタック高さが、約７０ｍｍ〜約１１０ｍｍ、約７０ｍｍ〜約１０５ｍｍ、約７０ｍｍ〜約１００ｍｍ、約７０ｍｍ〜約９５ｍｍ、約７０ｍｍ〜約９０ｍｍ、約７０ｍｍ〜約８５ｍｍ、約７２ｍｍ〜約８０ｍｍ、又は約７４ｍｍ〜約７８ｍｍであってもよく、具体的には、当該範囲内の特定の範囲及び全体で０．１ｍｍ刻みの全ての数値を含む。
【０１４０】
図１２は、複数の吸収性物品１００４を含む例示のパッケージ１０００を示す。パッケージ１０００は、複数の吸収性物品１００４が位置する内部空間１００２を画定する。複数の吸収性物品１００４は、１つ以上のスタック１００６に配置される。
【０１４１】
バッグ内スタック高さ試験
吸収性物品のパッケージのバッグ内スタック高さは、以下のとおりに判定される。
【０１４２】
機器
平坦な剛性の水平スライディングプレートを備えた厚さテスタが使用される。厚さテスタは、水平スライディングプレートが、平坦な合成の水平ベースプレートの上で直接水平方向に常に維持された状態で、水平スライディングプレートが垂直方向に自由に移動するように構成される。厚さテスタは、水平スライディングプレートと水平ベースプレートとの間の間隙を±０．５ｍｍ以内で測定するのに好適な装置を含む。水平スライディングプレート及び水平ベースプレートは、各プレートと接触する吸収性物品パッケージの表面よりも大きい（即ち、全ての方向で各プレートは吸収性物品パッケージの接触表面を超えて延在する）。水平スライディングプレートは、吸収性物品パッケージに下方への力８５０±１重量グラム（８．３４Ｎ）を加えるが、これはスライディングプレートの合計質量に付加重量を足して８５０±１グラムとなるように、水平スライディングプレートのパッケージに接触しない上面の中央に好適な重しを置くことによって達成し得る。
【０１４３】
試験手順
吸収性物品パッケージを、測定前に、２３±２℃及び５０±５％の相対湿度で平衡化する。
【０１４４】
水平スライディングプレートを上げ、パッケージ内の吸収性物品が水平方向になるように、吸収性物品パッケージを水平スライディングプレートの下の中央に配置する（図１２を参照のこと）。プレートのいずれかに接触するパッケージの表面の任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同じパッケージ（同一寸法のパッケージ及び同一の吸収物品数）を測定し、相加平均をパッケージ幅として報告する。「バッグ内スタック高さ」＝（パッケージ幅／１スタック当たりの吸収性物品数）×１０を算出し、±０．５ｍｍ以内で報告する。
【０１４５】
［実施例］
Ａ．着用者の胴体下部周囲に着用するための使い捨て吸収性物品であって、当該使い捨て吸収性物品は、第１の腰部領域と、第２の腰部領域と、第１の腰部領域と第２の腰部領域との間に配置された股領域と、第１の腰縁部及び第２の腰縁部と、第１の長手方向縁部及び第２の長手方向縁部と、を含み、使い捨て吸収性物品は、
１．）トップシートと、
２．）バックシートと、
３．）トップシートとバックシートとの間に配置された吸収性コアとを含むシャーシを含み、
使い捨て吸収性物品は、レッグガスケットシステムを更に含み、
レッグガスケットシステムは内側カフ及び外側カフを形成する材料のウェブを含み、
内側カフは、内側カフの折り畳まれた縁部及び内側カフの材料縁部を含み、外側カフは、外側カフの折り畳まれた縁部及び外側カフの材料縁部を含み、材料のウェブが横方向に内側に折り畳まれて、外側カフの折り畳まれた縁部を形成し、かつ、横方向に外側に折り畳まれて、内側カフの折り畳まれた縁部を形成するようになっており、
使い捨て吸収性物品は、股領域に位置する第１の区域、第２の腰部領域に位置する第２の区域、第１の腰部領域に位置する第３の区域、第４の区域、及び第５の区域を含み、使い捨て吸収性物品の第１の区域は、第２の区域及び第３の区域の両方よりも通気性が高く、使い捨て吸収性物品の第１の区域は、第４の区域及び第５の区域の両方よりも通気性が低い。
Ｂ．第４の区域は第２の腰部領域に位置しており、第５の区域は第１の腰部に位置しており、第２の区域は、第４の区域の横方向に内側であり、第３の区域は、第５の区域の横方向に内側である、段落Ａに記載の使い捨て吸収性物品。
Ｃ．第１の区域は外側カフ上に位置しており、横方向中心線上で中心に置かれる、段落Ａ〜Ｂに記載の使い捨て吸収性物品。
Ｄ．第２の区域及び第４の区域の位置は、横方向中心線に平行である横方向に延びる第１の線上で中心に置かれ、第３の区域及び第５の区域の位置は、横方向中心線に平行である横方向に延びる第２の線上で中心に置かれる、段落Ａ〜Ｃのいずれかに記載の使い捨て吸収性物品。
Ｅ．第１の区域、第２の区域、及び第３の区域の位置は、長手方向中心線に平行である長手方向に延びる線上で中心に置かれる、段落Ａ〜Ｄのいずれかに記載の使い捨て吸収性物品。
Ｆ．第４の区域及び第５の区域の位置は、長手方向中心線に平行である長手方向に延びる線上で中心に置かれる、段落Ａ〜Ｅのいずれかに記載の使い捨て吸収性物品。
Ｇ．第１の区域は、約１５〜約２５ｍ３／ｍ２／分の空気透過率を有する、段落Ａ〜Ｆのいずれか１つに記載の使い捨て吸収性物品。
Ｈ．第２の区域及び第３の区域は、約５〜約１５ｍ３／ｍ２／分の空気透過率を有する、段落Ａ〜Ｇのいずれか１つに記載の使い捨て吸収性物品。
Ｉ．第４の区域及び第５の区域は、約２５〜約７０ｍ３／ｍ２／分の空気透過率を有する、段落Ａ〜Ｈのいずれか１つに記載の使い捨て吸収性物品。
Ｊ．着用者の胴体下部周囲に着用するための使い捨て吸収性物品であって、この使い捨て吸収性物品は、第１の腰部領域と、第２の腰部領域と、第１の腰部領域と第２の腰部領域との間に配置された股領域と、第１の腰縁部及び第２の腰縁部と、第１の長手方向縁部及び第２の長手方向縁部と、を含み、使い捨て吸収性物品は、
１．）トップシートと、
２．）バックシートと、
３．）トップシートとバックシートとの間に配置された吸収性コアとを含むシャーシを含み、
使い捨て吸収性物品は、レッグガスケットシステムを更に含み、
レッグガスケットシステムは内側カフ及び外側カフを形成する材料のウェブを含み、
内側カフは、内側カフの折り畳まれた縁部及び内側カフの材料縁部を含み、外側カフは、外側カフの折り畳まれた縁部及び外側カフの材料縁部を含み、材料のウェブが横方向に内側に折り畳まれて、外側カフの折り畳まれた縁部を形成し、かつ、横方向に外側に折り畳まれて、内側カフの折り畳まれた縁部を形成するようになっており、
使い捨て吸収性物品は、股領域に位置する第１の区域、第２の腰部領域に位置する第２の区域、第１の腰部領域に位置する第３の区域、第４の区域、及び第５の区域を含み、使い捨て吸収性物品の第１の区域は、約１５〜約２５ｍ３／ｍ２／分の空気透過率を有し、使い捨て吸収性物品の第２及び第３の区域は約７〜約１５ｍ３／ｍ２／分の空気透過率を有し、使い捨て吸収性物品の第４及び第５の区域は、約２５〜約７０ｍ３／ｍ２／分の空気透過率を有する。
Ｋ．第１の区域は約４０００〜約６０００ｇ／ｍ２／２４ｈｒのＷＶＴＲ範囲を有する、段落Ｊの使い捨て吸収性物品。
Ｌ．第３の区域及び第４の区域は、約３８００〜約５５００ｇ／ｍ２／２４ｈｒのＷＶＴＲ範囲を有する、段落Ｊ〜Ｋのいずれかに記載の使い捨て吸収性物品。
Ｍ．第４の区域及び第５の区域は、約４４００〜約６０００ｇ／ｍ２／２４ｈｒのＷＶＴＲ範囲を有する、段落Ｊ〜Ｌのいずれかに記載の使い捨て吸収性物品。
Ｎ．第１の区域、第２の区域、第３の区域、第４の区域及び第５の区域は、約５５〜約１００の不透明度範囲を有する、段落Ｊ〜Ｍのいずれかに記載の使い捨て吸収性物品。
Ｏ．第１の区域は約６０〜約７０の不透明度範囲を有する、段落Ｊ〜Ｎのいずれかに記載の使い捨て吸収性物品。
Ｐ．第２の区域及び第３の区域は、約７５〜約９０の不透明度範囲を有する、段落Ｊ〜Ｏのいずれかに記載の使い捨て吸収性物品。
Ｑ．第４の区域及び第５の区域は、約５５〜約７０の不透明度範囲を有する、段落Ｊ〜Ｐのいずれかに記載の使い捨て吸収性物品。
Ｒ．第１の区域は、第４の区域又は第５の区域よりも高い不透明度を有し、第１の区域は第２の区域又は第３の区域よりも低い不透明度を有する、段落Ｊ〜Ｑのいずれかに記載の使い捨て吸収性物品。
Ｓ．着用者の胴体下部周囲に着用するための使い捨て吸収性物品であって、この使い捨て吸収性物品は、第１の腰部領域、第２の腰部領域、第１の腰部領域と第２の腰部領域の間に配置された股領域と、第１の腰縁部及び第２の腰縁部と、第１の長手方向縁部及び第２の長手方向縁部と、を含み、使い捨て吸収性物品は、
１．）トップシートと、
２．）バックシートと、
３．）トップシートとバックシートとの間に配置された吸収性コアとを含むシャーシを含み、
使い捨て吸収性物品は、レッグガスケットシステムを更に含み、
レッグガスケットシステムは内側カフ及び外側カフを形成する材料のウェブを含み、
内側カフは、内側カフの折り畳まれた縁部及び内側カフの材料縁部を含み、外側カフは、外側カフの折り畳まれた縁部及び外側カフの材料縁部を含み、材料のウェブが横方向に内側に折り畳まれて、外側カフの折り畳まれた縁部を形成し、かつ、横方向に外側に折り畳まれて、内側カフの折り畳まれた縁部を形成するようになっており、
使い捨て吸収性物品は、股領域に位置する第１の区域、第２の腰部領域に位置する第２の区域、第１の腰部領域に位置する第３の区域、第４の区域、及び第５の区域を含み、使い捨て吸収性物品の第１の区域の断面は、使い捨て吸収性物品の第２の区域の断面及び使い捨て吸収性物品の第３の区域の断面の両方よりも少ない材料層を含む。
Ｔ．第４の区域は第２の腰部領域に配置され、第５の区域は第１の腰部に配置され、第１の区域の断面は、２つの材料層を含む、段落Ｓに記載の使い捨て吸収性物品。
Ｕ．第２の区域の断面及び第３の区域の断面は、それぞれ少なくとも３つの材料層を含む、段落Ｓ〜Ｔのいずれかに記載の使い捨て吸収性物品。
Ｖ．第４の区域の断面及び第５の区域の断面は、それぞれ少なくとも２つの材料層を含む、段落Ｓ〜Ｖのいずれかに記載の使い捨て吸収性物品。
【０１４６】
本明細書に開示した寸法及び値は、示された数値そのものに厳密に限定されるものとして理解すべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【０１４７】
「発明を実施するための最良の形態」の中で引用された全ての文献は、関連部分において本明細書に参照により援用されている。いかなる文書の引用も、それが本発明に対する先行技術であることを認めるものとして解釈されるべきではない。本明細書における用語のいずれかの意味又は定義が、参照により組み込まれる文献における用語のいずれかの意味又は定義と対立する範囲においては、本明細書においてその用語に付与した意味又は定義を適用するものとする。
【０１４８】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2018511385.tif 000010
【図２】
2018511385.tif 000011
【図３】
2018511385.tif 000012
【図３Ａ】
2018511385.tif 000013
【図３Ｂ】
2018511385.tif 000014
【図４】
2018511385.tif 000015
【図５】
2018511385.tif 000016
【図６】
2018511385.tif 000017
【図７】
2018511385.tif 000018
【図８】
2018511385.tif 000019
【図９】
2018511385.tif 000020
【図１０】
2018511385.tif 000021
【図１１Ａ】
2018511385.tif 000022
【図１１Ｂ】
2018511385.tif 000023
【図１１Ｃ】
2018511385.tif 000024
【図１１Ｄ】
2018511385.tif 000025
【図１１Ｅ】
2018511385.tif 000026
【図１１Ｆ】
2018511385.tif 000027
【図１１Ｇ】
2018511385.tif 000028
【図１１Ｈ】
2018511385.tif 000029
【図１１Ｉ】
2018511385.tif 000030
【図１１Ｊ】
2018511385.tif 000031
【図１１Ｋ】
2018511385.tif 000032
【図１１Ｌ】
2018511385.tif 000033
【図１１Ｍ】
2018511385.tif 000034
【図１１Ｎ】
2018511385.tif 000035
【図１１Ｏ】
2018511385.tif 000036
【図１１Ｐ】
2018511385.tif 000037
【図１１Ｑ】
2018511385.tif 000038
【図１１Ｒ】
2018511385.tif 000039
【図１１Ｓ】
2018511385.tif 000040
【図１１Ｔ】
2018511385.tif 000041
【図１２】
2018511385.tif 000042
【国際調査報告】
2018511385.tif 000043
2018511385.tif 000044